(57)【特許請求の範囲】
【請求項１】
ノードをネットワークに接続する方法であって、
接続されたノードによって送信されたアクセス指示を受信するステップであって、前記アクセス指示は、少なくとも1つの接続ノードに関する情報を含む、ステップと、
前記アクセス指示に従ってメディアアクセスプラン（MAP）フレームをブロードキャストするステップであって、前記MAPフレームは、前記少なくとも1つの接続ノードに関する前記情報を搬送する、ステップと、
前記少なくとも1つの接続ノードに関する前記情報に対応する接続ノードのうちの第1の接続ノードによって送信された登録要求を受信するステップであって、前記第1の接続ノードが、前記MAPフレーム内の前記少なくとも1つの接続ノードに関する前記情報が前記第1の接続ノードのノード情報を含むと判断した場合には、前記登録要求が前記第1の接続ノードによって送信される、ステップと、
前記登録要求に従って前記第1の接続ノードに認証パスワードを送信するステップであって、前記認証パスワードは、前記認証パスワードに従って認証を完了するために前記第1の接続ノードによって使用される、ステップと、
を含む方法。
【請求項２】
前記接続ノード情報は、前記接続ノードのメディアアクセス制御（MAC）アドレスおよび／または前記接続ノードのノード識別子を含む、請求項1に記載の方法。
【請求項３】
前記アクセス指示に従って、前記少なくとも1つの接続ノードに関する前記情報を搬送するMAPフレームをブロードキャストする前記ステップは、
前記アクセス指示に搬送される前記少なくとも1つの接続ノードに関する前記情報を取得するステップと、
ノード補助フィールドを含むMAPフレームを生成するステップであって、前記ノード補助フィールドは、前記少なくとも1つの接続ノードに関する前記情報を搬送する、ステップと、
前記生成されたMAPフレームをブロードキャストするステップと、
を含む、請求項1または2に記載の方法。
【請求項４】
前記少なくとも1つの接続ノードに関する前記情報を搬送するMAPフレームをブロードキャストする前記ステップは、
ネットワーク接続を許可するための時間ウィンドウを開くステップと、
前記少なくとも1つの接続ノードに関する前記情報を搬送する前記MAPフレームを、ネットワーク接続を許可するための前記時間ウィンドウ内の少なくとも1つのMACサイクルで少なくとも1回ブロードキャストするステップと、
を含む、請求項1から3のいずれか一項に記載の方法。
【請求項５】
前記第1の接続ノードに認証パスワードを送信する前記ステップは、
前記第1の接続ノードに登録確認メッセージを送信するステップであって、前記確認メッセージは前記認証パスワードを搬送する、ステップ
を含む、請求項1から4のいずれか一項に記載の方法。
【請求項６】
前記生成されたMAPフレームをブロードキャストする前記ステップの後に、前記方法は、
第1の予め設定された期間の後、または前記MAPフレームの前記ノード補助フィールドに搬送された前記接続ノード情報に対応する各接続ノードの認証の完了時に、前記ノード補助フィールドを含まないMAPフレームを生成し、前記ノード補助フィールドを含まない前記MAPフレームをブロードキャストするステップ
をさらに含み、
前記第1の期間は、前記ノード補助フィールドを含む前記MAPフレームがブロードキャストされる期間である、請求項3に記載の方法。
【請求項７】
ネットワーク接続を可能にするための時間ウィンドウを開く前記ステップの後に、前記方法は、
第2の予め設定された期間の後、または前記接続されたノードによって送信されたアクセス停止指示が受信された場合に、ネットワーク接続を許可するための前記時間ウィンドウを閉じるステップ
をさらに含み、
前記第2の期間は、ネットワーク接続を可能にするための前記時間ウィンドウの期間である、請求項4に記載の方法。
【請求項８】
ノードをネットワークに接続する方法であって、
ドメインマスタコントローラ（DM）によって送信され、少なくとも1つの接続ノードに関する情報を搬送するメディアアクセスプラン（MAP）フレームを、第1のノードにより受信するステップと、
前記MAPフレーム内の前記少なくとも1つの接続ノードに関する前記情報が前記第1のノードのノード情報を含むと前記第1のノードが判断した場合には、前記DMに登録要求を送信するステップと、
前記登録要求に従って前記DMによって返された認証パスワードを、前記第1のノードにより受信するステップと、
前記認証パスワードに従って認証を完了するステップと、
を含む方法。
【請求項９】
DMによって送信され、少なくとも1つの接続ノードに関する情報を搬送するMAPフレームを第1のノードによって受信するステップは、
MAPリレーノードによって転送されたMAPフレームを、前記第1のノードにより受信するステップであって、前記MAPフレームは、前記DMによって送信され、前記少なくとも1つの接続ノードに関する前記情報を搬送する、ステップ
を含む、請求項8に記載の方法。
【請求項１０】
前記接続ノード情報は、前記接続ノードのメディアアクセス制御（MAC）アドレスおよび／または前記接続ノードのノード識別子を含む、請求項8または9に記載の方法。
【請求項１１】
前記DMによって返された認証パスワードを受信する前記ステップは、
前記DMによって返され、前記認証パスワードを搬送する登録確認メッセージを受信するステップ
を含む、請求項8から10のいずれか一項に記載の方法。
【請求項１２】
ノードをネットワークに接続する方法であって、
接続されたノードによって送信されたアクセス指示を受信するステップであって、前記アクセス指示は、少なくとも1つの接続ノードに関する情報を含む、ステップと、
前記アクセス指示内の前記少なくとも1つの接続ノードに関する前記情報に従って、対応する接続ノード識別情報を別々に生成するステップであって、前記接続ノード識別情報は、対応する各接続ノードを識別するために使用される、ステップと、
前記生成された接続ノード識別情報を搬送するメディアアクセスプラン（MAP）フレームをブロードキャストするステップと、
前記生成された接続ノード識別情報に対応する接続ノードのうちの第1の接続ノードによって送信された登録要求を受信するステップであって、前記第1の接続ノードが、前記MAPフレーム内の前記接続ノード識別情報が前記第1の接続ノードの識別情報を含むと判断した場合には、前記登録要求が前記第1の接続ノードによって送信される、ステップと、
前記アクセス指示内の前記少なくとも1つの接続ノードに関する前記情報に対応する接続ノードが前記第1の接続ノードを含むと判断し、前記第1の接続ノードに認証パスワードを送信するステップであって、前記認証パスワードは、前記認証パスワードに従って認証を完了するために前記第1の接続ノードによって使用される、ステップと、
を含む方法。
【請求項１３】
前記接続ノード情報は、前記接続ノードのメディアアクセス制御（MAC）アドレスおよび／または前記接続ノードのノード識別子を含む、請求項12に記載の方法。
【請求項１４】
前記アクセス指示内の前記少なくとも1つの接続ノードに関する前記情報に従って、対応する接続ノード識別情報を別々に生成する前記ステップは、
前記接続ノード情報が前記接続ノードの前記MACアドレスを含む場合には、各接続ノードのMACアドレスの各ビット位置に対応する値を別々に決定し、指定された規則に従って各接続ノードの前記MACアドレスの全ビット位置のうちの第1のビット位置の数を選択し、各接続ノードの前記MACアドレスの選択された前記第1のビット位置の数に対応する値に従って対応する接続ノード識別情報を生成するステップか、あるいは、
前記接続ノード情報が前記接続ノードの前記ノード識別子を含む場合には、各接続ノード識別子に対応する接続ノードのMACアドレスを別々に決定し、各接続ノードの前記MACアドレスの各ビット位置に対応する値を別々に決定し、指定された規則に従って各接続ノードの前記MACアドレスの全ビット位置のうちの第1のビット位置の数を選択し、各接続ノードの前記MACアドレスの選択された前記第1のビット位置の数に対応する値に従って対応する接続ノード識別情報を生成するステップ
を含む、請求項13に記載の方法。
【請求項１５】
前記生成された接続ノード識別情報を搬送するMAPフレームをブロードキャストする前記ステップは、
ノード補助フィールドを含むMAPフレームを生成するステップであって、前記ノード補助フィールドは、前記生成された接続ノード識別情報を搬送する、ステップと、
前記生成されたMAPフレームをブロードキャストするステップと、
を含む、請求項12から14のいずれか一項に記載の方法。
【請求項１６】
前記生成された接続ノード識別情報を搬送するMAPフレームをブロードキャストする前記ステップは、
ネットワーク接続を許可するための時間ウィンドウを開くステップと、
前記生成された接続ノード識別情報を搬送する前記MAPフレームを、ネットワーク接続を許可するための前記時間ウィンドウ内の少なくとも1つのMACサイクルで少なくとも1回ブロードキャストするステップと、
を含む、請求項12から15のいずれか一項に記載の方法。
【請求項１７】
前記第1の接続ノードに認証パスワードを送信する前記ステップは、
前記第1の接続ノードに登録確認メッセージを送信するステップ
を含み、前記確認メッセージは前記認証パスワードを搬送する、請求項12から16のいずれか一項に記載の方法。
【請求項１８】
前記生成されたMAPフレームをブロードキャストする前記ステップの後に、前記方法は、
第1の予め設定された期間の後、または前記アクセス指示内の前記接続ノード情報に対応する各接続ノードの認証の完了時に、前記ノード補助フィールドを含まないMAPフレームを生成し、前記ノード補助フィールドを含まない前記MAPフレームをブロードキャストするステップ
を含み、
前記第1の期間は、前記ノード補助フィールドを含む前記MAPフレームがブロードキャストされる期間である、請求項15に記載の方法。
【請求項１９】
ネットワーク接続を可能にするための時間ウィンドウを開く前記ステップの後に、前記方法は、
第2の予め設定された期間の後、または前記接続されたノードによって送信されたアクセス停止指示の受信時に、ネットワーク接続を許可するための前記時間ウィンドウを閉じるステップをさらに含み、
前記第2の期間は、ネットワーク接続を可能にするための前記時間ウィンドウの期間である、請求項16に記載の方法。
【請求項２０】
ノードをネットワークに接続する方法であって、
ドメインマスタコントローラ（DM）によって送信され、少なくとも1つの接続ノードの識別情報を搬送するメディアアクセスプラン（MAP）フレームを、第1のノードにより受信するステップと、
前記第1のノードを識別するために使用される識別情報を、前記第1のノードにより決定するステップと、
前記MAPフレーム内の前記少なくとも1つの接続ノードの前記識別情報が、前記第1のノードを識別するために使用される前記決定された識別情報を含むと判断した場合には、前記DMに登録要求を送信するステップと、
前記登録要求に従って前記DMによって返された認証パスワードを、前記第1のノードにより受信するステップと、
前記認証パスワードに従って認証を完了するステップと、
を含む方法。
【請求項２１】
DMによって送信され、少なくとも1つの接続ノードの識別情報を搬送するメディアアクセスプラン（MAP）フレームを第1のノードにより受信する前記ステップは、
MAPリレーノードによって転送されたMAPフレームを前記第1のノードにより受信するステップであって、前記MAPフレームは、前記DMによって送信され、前記少なくとも1つの接続ノードの前記識別情報を搬送する、ステップ
を含む、請求項20に記載の方法。
【請求項２２】
前記第1のノードを識別するために使用される識別情報を、前記第1のノードにより決定するステップは、
前記第1のノードのメディアアクセス制御（MAC）アドレス内の各ビット位置に対応する値を、前記第1のノードにより決定するステップと、
指定された規則に従ってすべてのビット位置のうちの第1のビット位置の数を選択するステップと、
前記選択された第1のビット位置の数に対応する値に従って、前記第1のノードを識別するために使用される前記識別情報を生成するステップと、
を含む、請求項20または21に記載の方法。
【請求項２３】
前記DMによって返された認証パスワードを受信する前記ステップは、
前記DMによって返され、前記認証パスワードを搬送する登録確認メッセージを受信するステップ
を含む、請求項20から22のいずれか一項に記載の方法。
【請求項２４】
ノードをネットワークに接続するための装置であって、
接続されたノードによって送信されたアクセス指示を受信するように構成された受信部であって、前記アクセス指示は、少なくとも1つの接続ノードに関する情報を含む、受信部と、
前記アクセス指示に従ってメディアアクセスプラン（MAP）フレームをブロードキャストするように構成された送信部であって、前記MAPフレームは、前記少なくとも1つの接続ノードに関する前記情報を搬送する、送信部と、を含み、
前記受信部は、前記少なくとも1つの接続ノードに関する前記情報に対応する接続ノードのうちの第1の接続ノードによって送信された登録要求を受信するようにさらに構成され、前記MAPフレーム内の前記少なくとも1つの接続ノードに関する前記情報が前記第1の接続ノードのノード情報を含むと前記第1の接続ノードが判断した場合には、前記登録要求が前記第1の接続ノードによって送信され、
前記送信部は、前記第1の接続ノードに認証パスワードを送信するようにさらに構成され、前記認証パスワードは、前記認証パスワードに従って認証を完了するために前記第1の接続ノードによって使用される、装置。
【請求項２５】
前記接続ノード情報は、前記接続ノードのメディアアクセス制御（MAC）アドレスおよび／または前記接続ノードのノード識別子を含む、請求項24に記載の装置。
【請求項２６】
前記送信部は、
前記アクセス指示に搬送される前記少なくとも1つの接続ノードに関する前記情報を取得し、
ノード補助フィールドを含むMAPフレームを生成し、前記ノード補助フィールドは、前記少なくとも1つの接続ノードに関する前記情報を搬送し、
前記生成されたMAPフレームをブロードキャストする
ように具体的に構成される、請求項24または25に記載の装置。
【請求項２７】
前記送信部は、
ネットワーク接続を許可するための時間ウィンドウを開き、
前記少なくとも1つの接続ノードに関する前記情報を搬送する前記MAPフレームを、ネットワーク接続を許可するための前記時間ウィンドウ内の少なくとも1つのMACサイクルで少なくとも1回ブロードキャストする
ように具体的に構成される、請求項24から26のいずれか一項に記載の装置。
【請求項２８】
前記送信部は、
前記第1の接続ノードに登録確認メッセージを送信するように具体的に構成され、前記確認メッセージは前記認証パスワードを搬送する、請求項24から27のいずれか一項に記載の装置。
【請求項２９】
前記送信部は、
前記生成されたMAPフレームがブロードキャストされた後に、または第1の予め設定された期間の後に、または前記MAPフレームの前記ノード補助フィールドに搬送された前記接続ノード情報に対応する各接続ノードの認証の完了時に、前記ノード補助フィールドを含まないMAPフレームを生成し、前記ノード補助フィールドを含まない前記MAPフレームをブロードキャストするようにさらに構成され、
前記第1の期間は、前記ノード補助フィールドを含む前記MAPフレームがブロードキャストされる期間である、請求項26に記載の装置。
【請求項３０】
前記送信部は、
ネットワーク接続を許可するための前記時間ウィンドウが開かれた後に、または第2の予め設定された期間の後に、または前記接続されたノードによって送信されたアクセス停止指示の受信時に、ネットワーク接続を許可するための前記時間ウィンドウを閉じるようにさらに構成され、
前記第2の期間は、ネットワーク接続を可能にするための前記時間ウィンドウの期間である、請求項27に記載の装置。
【請求項３１】
ノードをネットワークに接続するための装置であって、
ドメインマスタコントローラ（DM）によって送信され、少なくとも1つの接続ノードに関する情報を搬送するメディアアクセスプラン（MAP）フレームを受信するように構成された受信部と、
前記MAPフレーム内の前記少なくとも1つの接続ノードに関する前記情報が、ノードをネットワークに接続するための前記装置のノード情報を含む場合に、前記DMに登録要求を送信するように構成された送信部と、
前記受信部は、前記登録要求に従って前記DMによって返された認証パスワードを受信するようにさらに構成され、
前記認証パスワードに従って認証を完了するように構成された認証部と、
を含む装置。
【請求項３２】
前記受信部は、
MAPリレーノードによって転送されたMAPフレームを受信するように具体的に構成され、前記MAPフレームは、前記DMによって送信され、前記少なくとも1つの接続ノードに関する前記情報を搬送する、請求項31に記載の装置。
【請求項３３】
前記接続ノード情報は、前記接続ノードのメディアアクセス制御（MAC）アドレスおよび／または前記接続ノードのノード識別子を含む、請求項31または32に記載の装置。
【請求項３４】
前記受信部は、
前記DMによって返され、前記認証パスワードを搬送する登録確認メッセージを受信するように具体的に構成される、請求項31から33のいずれか一項に記載の装置。
【請求項３５】
ノードをネットワークに接続するための装置であって、
接続されたノードによって送信されたアクセス指示を受信するように構成された受信部であって、前記アクセス指示は、少なくとも1つの接続ノードに関する情報を含む、受信部と、
前記アクセス指示内の前記少なくとも1つの接続ノードに関する前記情報に従って、対応する接続ノード識別情報を別々に生成する構成された生成部であって、前記接続ノード識別情報は、対応する各接続ノードを識別するために使用される、生成部と、
前記生成された接続ノード識別情報を搬送するMAPフレームをブロードキャストするように構成された送信部と、
を含み、
前記受信部は、前記生成された接続ノード識別情報に対応する接続ノードのうちの第1の接続ノードによって送信された登録要求を受信するようにさらに構成され、前記MAPフレーム内の前記接続ノード識別情報が前記第1の接続ノードの識別情報を含むと前記第1の接続ノードが判断した場合に、前記登録要求が前記第1の接続ノードによって送信され、
前記送信部は、前記アクセス指示内の前記少なくとも1つの接続ノードに関する前記情報に対応する接続ノードが前記第1の接続ノードを含むと判断し、前記第1の接続ノードに認証パスワードを送信するようにさらに構成され、前記認証パスワードは、前記認証パスワードに従って認証を完了するために前記第1の接続ノードによって使用される、装置。
【請求項３６】
前記接続ノード情報は、前記接続ノードのメディアアクセス制御（MAC）アドレスおよび／または前記接続ノードのノード識別子を含む、請求項35に記載の装置。
【請求項３７】
前記アクセス指示内の前記少なくとも1つの接続ノードに関する前記情報に従って、対応する接続ノード識別情報を別々に生成する場合に、前記生成部は、
前記接続ノード情報が前記接続ノードの前記MACアドレスを含む場合には、各接続ノードのMACアドレスの各ビット位置に対応する値を別々に決定し、指定された規則に従って、各接続ノードの前記MACアドレス内のすべてのビット位置のうちの第1のビット位置の数を選択し、各接続ノードの前記MACアドレスで選択された前記第1のビット位置の数に対応する値に従って、対応する接続ノード識別情報を生成するように具体的に構成され、または、
前記接続ノード情報が前記接続ノードの前記ノード識別子を含む場合には、各接続ノード識別子に対応する接続ノードのMACアドレスを別々に決定し、各接続ノードの前記MACアドレスの各ビット位置に対応する値を別々に決定し、指定された規則に従って、各接続ノードの前記MACアドレス内のすべてのビット位置のうちの第1のビット位置の数を選択し、各接続ノードの前記MACアドレスで選択された前記第1のビット位置の数に対応する値に従って、対応する接続ノード識別情報を生成するように具体的に構成される、請求項36に記載の装置。
【請求項３８】
前記送信部は、
ノード補助フィールドを含むMAPフレームを生成し、前記ノード補助フィールドは、前記生成された接続ノード識別情報を搬送し、
前記生成されたMAPフレームをブロードキャストするように具体的に構成される、請求項35から37のいずれか一項に記載の装置。
【請求項３９】
前記送信部は、
ネットワーク接続を許可するための時間ウィンドウを開き、
前記生成された接続ノード識別情報を搬送する前記MAPフレームを、ネットワーク接続を許可するための前記時間ウィンドウ内の少なくとも1つのMACサイクルで少なくとも1回ブロードキャストするように具体的に構成される、請求項35から38のいずれか一項に記載の装置。
【請求項４０】
前記第1の接続ノードに前記認証パスワードを送信する場合に、前記送信部は、
前記第1の接続ノードに登録確認メッセージを送信するように具体的に構成され、前記確認メッセージは前記認証パスワードを搬送する、請求項35から39のいずれか一項に記載の装置。
【請求項４１】
前記送信部は、
前記生成されたMAPフレームがブロードキャストされた後に、または第1の予め設定された期間の後に、または前記アクセス指示内の前記接続ノード情報に対応する各接続ノードの認証の完了時に、前記ノード補助フィールドを含まないMAPフレームを生成し、前記ノード補助フィールドを含まない前記MAPフレームをブロードキャストするようにさらに構成され、
前記第1の期間は、前記ノード補助フィールドを含む前記MAPフレームがブロードキャストされる期間である、請求項38に記載の装置。
【請求項４２】
前記送信部は、
ネットワーク接続を許可するための前記時間ウィンドウが開かれた後に、または第2の予め設定された期間の後に、または前記接続されたノードによって送信されたアクセス停止指示の受信時に、ネットワーク接続を許可するための前記時間ウィンドウを閉じるようにさらに構成され、
前記第2の期間は、ネットワーク接続を可能にするための前記時間ウィンドウの期間である、請求項39に記載の装置。
【請求項４３】
ノードをネットワークに接続するための装置であって、
ドメインマスタコントローラ（DM）によって送信され、少なくとも1つの接続ノードの識別情報を搬送するメディアアクセスプラン（MAP）フレームを受信するように構成された受信部と、
ノードをネットワークに接続するための前記装置を識別するために使用される識別情報を決定するように構成された決定部と、
前記MAPフレーム内の前記少なくとも1つの接続ノードの前記識別情報が、ノードをネットワークに接続するための前記装置を識別するために使用される前記決定された識別情報を含む場合に、前記DMに登録要求を送信するように構成された送信部と、
前記受信部は、前記登録要求に従って前記DMによって返された認証パスワードを受信するようにさらに構成され、
前記認証パスワードに従って認証を完了するように構成された認証部と、
を含む装置。
【請求項４４】
前記受信部は、
MAPリレーノードによって転送されたMAPフレームを受信するように具体的に構成され、前記MAPフレームは、前記DMによって送信され、前記少なくとも1つの接続ノードの前記識別情報を搬送する、請求項43に記載の装置。
【請求項４５】
前記決定部は、
ノードをネットワークに接続するための前記装置のメディアアクセス制御（MAC）アドレス内の各ビット位置に対応する値を決定し、
指定された規則に従ってすべてのビット位置のうちの第1のビット位置の数を選択し、
前記選択された第1のビット位置の数に対応する値に従って、ノードをネットワークに接続するための前記装置を識別するために使用される前記識別情報を生成するように具体的に構成される、請求項43または44に記載の装置。
【請求項４６】
前記受信部は、
前記DMによって返され、前記認証パスワードを搬送する登録確認メッセージを受信するように具体的に構成される、請求項43から45のいずれか一項に記載の装置。
【請求項４７】
ノードをネットワークに接続するためのシステムであって、
ドメインマスタコントローラ（DM）にアクセス指示を送信するように構成された接続されたノードを含み、前記アクセス指示は、少なくとも1つの接続ノードに関する情報を含み、
前記DMは、前記接続されたノードによって送信された前記アクセス指示を受信し、前記アクセス指示に従ってメディアアクセスプラン（MAP）フレームをブロードキャストし、前記MAPフレームは、前記少なくとも1つの接続ノードに関する前記情報を搬送し、前記少なくとも1つの接続ノードに関する前記情報に対応する接続ノードによって送信された登録要求を受信し、前記接続ノードに認証パスワードを送信するように構成され、
前記接続ノードは、前記DMによって送信され、前記少なくとも1つの接続ノードに関する前記情報を搬送する前記MAPフレームを受信し、前記MAPフレーム内の前記少なくとも1つの接続ノードに関する前記情報が前記接続ノードのノード情報を含むと判断した場合には、前記DMに前記登録要求を送信し、前記登録要求に従って前記DMによって返された前記認証パスワードを受信し、前記認証パスワードに従って認証を完了するように構成される、システム。
【請求項４８】
ノードをネットワークに接続するためのシステムであって、
ドメインマスタコントローラ（DM）にアクセス指示を送信するように構成された接続されたノードを含み、前記アクセス指示は、少なくとも1つの接続ノードに関する情報を含み、
前記DMは、前記接続されたノードによって送信された前記アクセス指示を受信し、前記アクセス指示内の前記少なくとも1つの接続ノードに関する前記情報に従って対応する接続ノード識別情報を別々に生成し、前記接続ノード識別情報は、対応する各接続ノードを識別するために使用され、前記生成された接続ノード識別情報を搬送するメディアアクセスプラン（MAP）フレームをブロードキャストし、前記生成された接続ノード識別情報に対応する接続ノードによって送信された登録要求を受信し、前記アクセス指示内の前記少なくとも1つの接続ノードに関する前記情報に対応する接続ノードが前記接続ノードを含むと判断し、前記接続ノードに認証パスワードを送信するように構成され、
前記接続ノードは、前記DMによって送信され、前記接続ノード識別情報を搬送する前記MAPフレームを受信し、前記接続ノードを識別するために使用される識別情報を決定し、前記MAPフレーム内の前記少なくとも1つの接続ノードの前記識別情報が前記接続ノードを識別するために使用される前記決定された識別情報を含むと判断した場合に、前記登録要求を前記DMに送信し、前記登録要求に従って前記DMによって返された前記認証パスワードを受信し、前記認証パスワードに従って認証を完了するように構成される、システム。
【請求項４９】
プログラムを格納することができ、前記プログラムが実行された場合に、請求項1から23のいずれか一項に記載の方法の一部またはすべてのステップが含まれ得る、コンピュータ記憶媒体。
【発明の詳細な説明】
【技術分野】
【０００１】
本発明は、通信技術の分野に関し、特に、ノードをネットワークに接続するための方法、装置、およびシステムに関する。
【背景技術】
【０００２】
ホームネットワーク技術は、ホームコントロールネットワークとマルチメディア情報ネットワークとを統合する家庭用情報プラットフォームであり、家庭範囲内の様々なインテリジェント家電機器、通信機器、情報機器などの相互接続および管理を実現するために使用することができる。帯域幅に対するホームネットワークの要求がますます高まっており、サービスの多様化のためにユーザの要求が高まっていることから、2010年に国際電気通信連合電気通信標準化部門（ITU-T）によって承認されたホームネットワーク（G.hn）標準は、電力線、同軸ケーブル、電話回線などの伝送媒体をサポートすることができ、統一されたホームネットワーク規格である。
【０００３】
G.hnに基づくホームネットワークは、1つまたは複数のドメインを含むことができ、ドメインは一般に集中管理ネットワークである。ドメインには、ドメインマスタコントローラ（DM）、つまりドメインマスタノードがある。DMはさらに、通常のノードの通信機能を有することに加えて、例えば、ドメインの作成、ノード登録、ドメインの帯域幅割り当ておよびリソーススケジューリング、複数の隣接するドメインまたはネットワークとの調整、ならびにネットワークの消費電力管理などの、ドメイン全体の管理を担当する必要がある。セキュリティモードで動作するドメインの場合、ドメインにはさらにセキュリティコントローラ（SC）が含まれる。SCはドメイン内のノードの認証と鍵管理を担当する。登録されたノードはすべて、安全なデータ伝送を実行するための鍵を取得する前に、SCによって認証される必要がある。
【０００４】
DMは、メディアアクセス制御（MAC）層でメディアアクセスプラン（MAP）フレームを定期的にブロードキャストすることによってドメイン管理およびリソーススケジューリングを実行し、MAPフレームは、次のMACサイクルの開始時刻、ノードのリソーススケジューリングのための送信機会割り当て、およびドメイン作業に必要な関連パラメータを示す。ドメイン内に隠れノードが存在し、それらはDMと直接通信できないので、DMはいくつかのノードをMAPリレーノードとして指定し、リレーメディアアクセスプラン（RMAP）フレームを送信するようにこれらのMAPリレーノードを配置することができる。
【０００５】
G.hnベースのホームネットワークでは、接続ノードは、プッシュボタンペアリング方式においては、セキュリティモードで動作するドメインに接続する。この方法は以下を含む。
【０００６】
まず、ドメイン内のDMでペアリングボタンを押すか、またはドメイン内の任意のノードでペアリングボタンを押して、通常ノードは既存のネットワークを用いてペアリングボタンプッシュイベントをDMに通知する。
【０００７】
ペアリングボタンが押されるか、またはペアリングボタンプッシュイベントの通知が受信された後、DMはペアリング要求を許可する120秒間のウィンドウを開き、対応する指示情報を搬送するMAPフレームを各MACサイクルでブロードキャストする。
【０００８】
DMでペアリングボタンが押されてから120秒以内に、または通常ノードでペアリングボタンが押されてから120秒以内に、接続ノードでペアリングボタンが押され、ドメインからMAPフレームを受信した後に、接続ノードがDMに登録要求を送信する。
【０００９】
DMは、接続ノードの登録要求を受信し、接続ノードを受け入れると決定した後に、登録が成功したことを示す登録確認メッセージを接続ノードに送信するが、この登録確認メッセージはドメイン認証プロセスで必要なパスワードを搬送する。
【００１０】
登録確認メッセージを受信した後、接続ノードは、登録確認メッセージ内のパスワードと既存のセキュリティ認証メカニズムに従ってドメイン内のSCへの認証手続を開始し、認証が成功した後、接続ノードはドメイン内でデータ伝送を行うことができる。
【００１１】
DMがペアリング要求を許可するためのウィンドウを開いてから120秒後に、DMはウィンドウを閉じる。
【００１２】
明らかに、接続ノードが前述の方法でドメインに接続する際には、ドメイン内の任意のノードおよび接続ノードでペアリングボタンを個別に押す必要があり、接続ノードでペアリングボタンを押す瞬間はドメイン内の任意のノードでペアリングボタンが押されてから120秒以内である必要があり、それ以外の場合には、接続ノードはドメインに接続することができない。したがって、誤操作が発生しやすくなり、ネットワーク接続に失敗する可能性がある。さらに、実際のアプリケーションでは、プッシュボタンペアリング方式で安全なドメインに接続した結果は非常に不確実であり、ネットワーク接続の成功率は比較的低い。
【発明の概要】
【課題を解決するための手段】
【００１３】
本発明の実施形態は、ノードをネットワークに接続するための方法、装置、およびシステムを提供し、プッシュボタンペアリング方式でノードをネットワークに接続するときに生じる誤動作が、ノードによるネットワーク接続の失敗、およびノードによるネットワーク接続の比較的低い成功率をもたらすという従来技術における問題を解決する。
【００１４】
第1の態様によれば、ノードをネットワークに接続する方法が提供され、本方法は、
接続されたノードによって送信されたアクセス指示を受信するステップであって、アクセス指示は、少なくとも1つの接続ノードに関する情報を含む、ステップと、
アクセス指示に従ってメディアアクセスプラン（MAP）フレームをブロードキャストするステップであって、MAPフレームは、少なくとも1つの接続ノードに関する情報を搬送する、ステップと、
少なくとも1つの接続ノードに関する情報に対応する接続ノードのうちの第1の接続ノードによって送信された登録要求を受信するステップであって、第1の接続ノードが、MAPフレーム内の少なくとも1つの接続ノードに関する情報が第1の接続ノードのノード情報を含むと判断した場合には、登録要求が第1の接続ノードによって送信される、ステップと、
登録要求に従って第1の接続ノードに認証パスワードを送信するステップであって、認証パスワードは、認証パスワードに従って認証を完了するために第1の接続ノードによって使用される、ステップと、
を含む。
【００１５】
第1の態様を参照して、第1の可能な実施では、接続ノード情報は、接続ノードのメディアアクセス制御（MAC）アドレスおよび／または接続ノードのノード識別子を含む。
【００１６】
第1の態様または第1の態様の第1の可能な実施を参照して、第2の可能な実施では、アクセス指示に従って、少なくとも1つの接続ノードに関する情報を搬送するMAPフレームをブロードキャストするステップは、
アクセス指示に搬送される少なくとも1つの接続ノードに関する情報を取得するステップと、
ノード補助フィールドを含むMAPフレームを生成するステップであって、ノード補助フィールドは、少なくとも1つの接続ノードに関する情報を搬送する、ステップと、
生成されたMAPフレームをブロードキャストするステップと、
を含む。
【００１７】
第1の態様または第1の態様の上記の可能な実施のいずれか1つを参照して、第3の可能な実施では、少なくとも1つの接続ノードに関する情報を搬送するMAPフレームをブロードキャストするステップは、
ネットワーク接続を許可するための時間ウィンドウを開くステップと、
少なくとも1つの接続ノードに関する情報を搬送するMAPフレームを、ネットワーク接続を許可するための時間ウィンドウ内の少なくとも1つのMACサイクルで少なくとも1回ブロードキャストするステップと、
を含む。
【００１８】
第1の態様または第1の態様の上記の可能な実施のいずれか1つを参照して、第4の可能な実施では、第1の接続ノードに認証パスワードを送信するステップは、
第1の接続ノードに登録確認メッセージを送信するステップであって、確認メッセージは認証パスワードを搬送する、ステップ
を含む。
【００１９】
第1の態様の第2の可能な実施を参照して、第5の可能な実施では、生成されたMAPフレームをブロードキャストするステップの後に、方法は、
第1の予め設定された期間の後、またはMAPフレームのノード補助フィールドに搬送された接続ノード情報に対応する各接続ノードの認証の完了時に、ノード補助フィールドを含まないMAPフレームを生成し、ノード補助フィールドを含まないMAPフレームをブロードキャストするステップ
をさらに含み、
第1の期間は、ノード補助フィールドを含むMAPフレームがブロードキャストされる期間の値である。
【００２０】
第1の態様の第3の可能な実施を参照して、第6の可能な実施では、ネットワーク接続を可能にするための時間ウィンドウを開くステップの後に、本方法は、
第2の予め設定された期間の後、または接続されたノードによって送信されたアクセス停止指示の受信時に、ネットワーク接続を許可するための時間ウィンドウを閉じるステップ
をさらに含み、
第2の期間は、ネットワーク接続を可能にするための時間ウィンドウの期間の値である。
【００２１】
第2の態様によれば、ノードをネットワークに接続する方法が提供され、本方法は、
ドメインマスタコントローラ（DM）によって送信され、少なくとも1つの接続ノードに関する情報を搬送するメディアアクセスプラン（MAP）フレームを、第1のノードにより受信するステップと、
MAPフレーム内の少なくとも1つの接続ノードに関する情報が第1のノードのノード情報を含むと第1のノードが判断した場合には、DMに登録要求を送信するステップと、
登録要求に従ってDMによって返された認証パスワードを、第1のノードにより受信するステップと、
認証パスワードに従って認証を完了するステップと、
を含む。
【００２２】
第2の態様を参照して、第1の可能な実施では、DMによって送信され、少なくとも1つの接続ノードに関する情報を搬送するMAPフレームを第1のノードによって受信するステップは、
MAPリレーノードによって転送されたMAPフレームを、第1のノードにより受信するステップであって、MAPフレームは、DMによって送信され、少なくとも1つの接続ノードに関する情報を搬送する、ステップ
を含む。
【００２３】
第2の態様または第2の態様の第1の可能な実施を参照して、第2の可能な実施では、接続ノード情報は、接続ノードのメディアアクセス制御（MAC）アドレスおよび／または接続ノードのノード識別子を含む。
【００２４】
第2の態様または第2の態様の上記の可能な実施のいずれか1つを参照して、第3の可能な実施では、DMによって返された認証パスワードを受信するステップは、
DMによって返され、認証パスワードを搬送する登録確認メッセージを受信するステップ
を含む。
【００２５】
第3の態様によれば、ノードをネットワークに接続する方法が提供され、本方法は、
接続されたノードによって送信されたアクセス指示を受信するステップであって、アクセス指示は、少なくとも1つの接続ノードに関する情報を含む、ステップと、
アクセス指示内の少なくとも1つの接続ノードに関する情報に従って、対応する接続ノード識別情報を別々に生成するステップであって、接続ノード識別情報は、対応する各接続ノードを識別するために使用される、ステップと、
生成された接続ノード識別情報を搬送するメディアアクセスプラン（MAP）フレームをブロードキャストするステップと、
生成された接続ノード識別情報に対応する接続ノードのうちの第1の接続ノードによって送信された登録要求を受信するステップであって、第1の接続ノードが、MAPフレーム内の接続ノード識別情報が第1の接続ノードの識別情報を含むと判断した場合には、登録要求が第1の接続ノードによって送信される、ステップと、
アクセス指示内の少なくとも1つの接続ノードに関する情報に対応する接続ノードが第1の接続ノードを含むと判断し、第1の接続ノードに認証パスワードを送信するステップであって、認証パスワードは、認証パスワードに従って認証を完了するために第1の接続ノードによって使用される、ステップと、
を含む。
【００２６】
第3の態様を参照して、第1の可能な実施では、接続ノード情報は、接続ノードのメディアアクセス制御（MAC）アドレスおよび／または接続ノードのノード識別子を含む。
【００２７】
第3の態様の第1の可能な実施を参照して、第2の可能な実施では、アクセス指示内の少なくとも1つの接続ノードに関する情報に従って、対応する接続ノード識別情報を別々に生成するステップは、
接続ノード情報が接続ノードのMACアドレスを含む場合には、各接続ノードのMACアドレスの各ビット位置に対応する値を別々に決定し、指定された規則に従って各接続ノードのMACアドレスの全ビット位置のうちの第1のビット位置の数を選択し、各接続ノードのMACアドレスの選択された第1のビット位置の数に対応する値に従って対応する接続ノード識別情報を生成するステップか、あるいは、
接続ノード情報が接続ノードのノード識別子を含む場合には、各接続ノード識別子に対応する接続ノードのMACアドレスを別々に決定し、各接続ノードのMACアドレスの各ビット位置に対応する値を別々に決定し、指定された規則に従って各接続ノードのMACアドレスの全ビット位置のうちの第1のビット位置の数を選択し、各接続ノードのMACアドレスの選択された第1のビット位置の数に対応する値に従って対応する接続ノード識別情報を生成するステップ
を含む。
【００２８】
第3の態様または第3の態様の上記の可能な実施のいずれか1つを参照して、第3の可能な実施では、生成された接続ノード識別情報を搬送するMAPフレームをブロードキャストするステップは、
ノード補助フィールドを含むMAPフレームを生成するステップであって、ノード補助フィールドは、生成された接続ノード識別情報を搬送する、ステップと、
生成されたMAPフレームをブロードキャストするステップと、
を含む。
【００２９】
第3の態様または第3の態様の上記の可能な実施のいずれか1つを参照して、第4の可能な実施では、生成された接続ノード識別情報を搬送するMAPフレームをブロードキャストするステップは、
ネットワーク接続を許可するための時間ウィンドウを開くステップと、
生成された接続ノード識別情報を搬送するMAPフレームを、ネットワーク接続を許可するための時間ウィンドウ内の少なくとも1つのMACサイクルで少なくとも1回ブロードキャストするステップと、
を含む。
【００３０】
第3の態様または第3の態様の上記の可能な実施のいずれか1つを参照して、第5の可能な実施では、第1の接続ノードに認証パスワードを送信するステップは、
第1の接続ノードに登録確認メッセージを送信するステップであって、確認メッセージは認証パスワードを搬送する、ステップ
を含む。
【００３１】
第3の態様の第3の可能な実施を参照して、第6の可能な実施では、生成されたMAPフレームをブロードキャストするステップの後に、本方法は、
第1の予め設定された期間の後、またはアクセス指示内の接続ノード情報に対応する各接続ノードの認証の完了時に、ノード補助フィールドを含まないMAPフレームを生成し、ノード補助フィールドを含まないMAPフレームをブロードキャストするステップ
を含み、
第1の期間は、ノード補助フィールドを含むMAPフレームがブロードキャストされる期間の値である。
【００３２】
第3の態様の第4の可能な実施を参照して、第7の可能な実施では、ネットワーク接続を可能にするための時間ウィンドウを開くステップの後に、本方法は、
第2の予め設定された期間の後、または接続されたノードによって送信されたアクセス停止指示の受信時に、ネットワーク接続を許可するための時間ウィンドウを閉じるステップ
をさらに含み、
第2の期間は、ネットワーク接続を可能にするための時間ウィンドウの期間の値である。
【００３３】
第4の態様によれば、ノードをネットワークに接続する方法が提供され、本方法は、
ドメインマスタコントローラ（DM）によって送信され、少なくとも1つの接続ノードの識別情報を搬送するメディアアクセスプラン（MAP）フレームを、第1のノードにより受信するステップと、
第1のノードを識別するために使用される識別情報を、第1のノードにより決定するステップと、
MAPフレーム内の少なくとも1つの接続ノードの識別情報が、第1のノードを識別するために使用される決定された識別情報を含むと判断した場合には、DMに登録要求を送信するステップと、
登録要求に従ってDMによって返された認証パスワードを、第1のノードにより受信するステップと、
認証パスワードに従って認証を完了するステップと、
を含む。
【００３４】
第4の態様を参照して、第1の可能な実施では、DMによって送信され、少なくとも1つの接続ノードの識別情報を搬送するメディアアクセスプラン（MAP）フレームを第1のノードにより受信するステップは、
MAPリレーノードによって転送されたMAPフレームを第1のノードにより受信するステップであって、MAPフレームは、DMによって送信され、少なくとも1つの接続ノードの識別情報を搬送する、ステップ
を含む。
【００３５】
第4の態様または第4の態様の第1の可能な実施を参照して、第2の可能な実施では、第1のノードを識別するために使用される識別情報を、第1のノードにより決定するステップは、
第1のノードのメディアアクセス制御（MAC）アドレス内の各ビット位置に対応する値を、第1のノードにより決定するステップと、
指定された規則に従ってすべてのビット位置のうちの第1のビット位置の数を選択するステップと、
選択された第1のビット位置の数に対応する値に従って、第1のノードを識別するために使用される識別情報を生成するステップと、
を含む。
【００３６】
第4の態様または第4の態様の上記の可能な実施のいずれか1つを参照して、第3の可能な実施では、DMによって返された認証パスワードを受信するステップは、
DMによって返され、認証パスワードを搬送する登録確認メッセージを受信するステップ
を含む。
【００３７】
第5の態様によれば、ノードをネットワークに接続する方法が提供され、本方法は、
接続されたノードによって送信されたアクセス指示をドメインマスタコントローラ（DM）により受信するステップであって、アクセス指示は、DMが位置するドメインの認証パスワードを格納していない接続ノードがネットワークに接続することを許可するように指示するために使用される、ステップと、
アクセス指示に従って、メディアアクセスプラン（MAP）フレームをDMによりブロードキャストするステップであって、MAPフレームは、認証パスワードを有しないノードの登録を許可するための指示を搬送する、ステップと、
DMが位置するドメインの認証パスワードを格納していない接続ノードによって送信された登録要求を、DMにより受信するステップと、
登録要求を送信したすべての接続ノードの接続ノード情報に従って第1の接続ノード情報セットをDMにより生成し、第1の接続ノード情報セットを接続されたノードに送信するステップと、
第1の接続ノード情報セットに従って、接続されたノードによって返された第2の接続ノード情報セットをDMにより受信するステップであって、第2の接続ノード情報セットは、第1の接続ノード情報セットのサブセットである、ステップと、
第2の接続ノード情報セット内の接続ノード情報に対応する接続ノードに認証パスワードをDMにより送信するステップであって、認証パスワードは、認証パスワードに従って認証を完了するために接続ノードにより使用される、ステップと、
を含む。
【００３８】
第5の態様を参照して、第1の可能な実施では、接続ノード情報は、接続ノードのメディアアクセス制御（MAC）アドレスおよび／または接続ノードのノード識別子を含む。
【００３９】
第5の態様または第5の態様の第1の可能な実施を参照して、第2の可能な実施では、認証パスワードを有しないノードの登録を許可するための指示を搬送するMAPフレームを、アクセス指示に従ってDMによりブロードキャストするステップは、
指定されたフィールドが追加されたMAPフレームをアクセス指示に従ってDMにより生成するステップであって、指定されたフィールドは、認証パスワードを有しないノードの登録を許可するための指示を含み、認証パスワードを有しないノードの登録を許可するための指示は、DMが位置するドメインの認証パスワードを格納していない接続ノードに登録要求を送信するよう指示するために使用される、ステップと、
生成されたMAPフレームをブロードキャストするステップと、
を含む。
【００４０】
第5の態様または第5の態様の上記の可能な実施のいずれか1つを参照して、第3の可能な実施では、認証パスワードを有しないノードの登録を許可するための指示を搬送するMAPフレームを、アクセス指示に従ってDMにより、ブロードキャストするステップは、
DMによって、ネットワーク接続を許可するための時間ウィンドウを開くステップと、
認証パスワードを有しないノードの登録を許可するための指示を搬送するMAPフレームを、ネットワーク接続を許可するための時間ウィンドウ内の少なくとも1つのMACサイクルで少なくとも1回ブロードキャストするステップと、
を含む。
【００４１】
第5の態様の第2の可能な実施を参照して、第4の可能な実施では、生成されたMAPフレームをブロードキャストするステップの後に、方法は、
第1の予め設定された期間の後に、指定されたフィールドが追加されていないMAPフレームを生成し、指定されたフィールドが追加されていないMAPフレームをブロードキャストするステップ
をさらに含み、
第1の期間は、指定されたフィールドが追加されたMAPフレームがブロードキャストされる期間の値である。
【００４２】
第5の態様の第3の可能な実施を参照して、第5の可能な実施では、ネットワーク接続を可能にするための時間ウィンドウを開くステップの後に、方法は、
第2の予め設定された期間の後、または接続されたノードによって送信されたアクセス停止指示の受信時に、ネットワーク接続を許可するための時間ウィンドウを閉じるステップ
をさらに含み、
第2の期間は、ネットワーク接続を可能にするための時間ウィンドウの期間の値である。
【００４３】
第6の態様によれば、ノードをネットワークに接続する方法が提供され、本方法は、
ドメインマスタコントローラ（DM）にアクセス指示を送信するステップであって、アクセス指示は、DMが位置するドメインの認証パスワードを格納していないノードがネットワークに接続することを許可するようにDMに指示するために使用される、ステップと、
DMによって送信され、登録要求を送信したすべての接続ノードの接続ノード情報に従って生成された第1の接続ノード情報セットを受信するステップと、
第1の接続ノード情報セットの接続ノード情報から少なくとも1つの接続ノードに関する情報を選択し、少なくとも1つの接続ノードに関する選択された情報に従って第2の接続ノード情報セットを生成するステップと、
第2の接続ノード情報セットをDMに送信するステップと、
を含む。
【００４４】
第6の態様を参照して、第1の可能な実施では、第2の接続ノード情報セットをDMに送信するステップの後に、本方法は、
DMにアクセス停止指示を送信するステップ
をさらに含む。
【００４５】
第7の態様によれば、ノードをネットワークに接続する方法が提供され、本方法は、
ドメインマスタコントローラ（DM）によって送信され、認証パスワードを有しないノードの登録を許可するための指示を搬送するメディアアクセスプラン（MAP）フレームを、第1のノードにより受信するステップと、
DMが位置するドメインの認証パスワードを第1のノードが格納していないと第1のノードが判断した場合には、DMに登録要求を送信するステップと、
登録要求に従ってDMによって返された認証パスワードを、第1のノードにより受信するステップと、
認証パスワードに従って認証を完了するステップと、
を含む。
【００４６】
第7の態様を参照して、第1の可能な実施では、DMによって送信され、認証パスワードを有しないノードの登録を許可するための指示を搬送するMAPフレームを第1のノードにより受信するステップは、
MAPリレーノードによって転送されたMAPフレームを第1のノードにより受信するステップであって、MAPフレームは、DMによって送信され、認証パスワードを有しないノードの登録を許可するための指示を搬送する、ステップ
を含む。
【００４７】
第8の態様によれば、ノードをネットワークに接続するための装置が提供され、本装置は、
接続されたノードによって送信されたアクセス指示を受信するように構成された受信部であって、アクセス指示は、少なくとも1つの接続ノードに関する情報を含む、受信部と、
アクセス指示に従ってメディアアクセスプラン（MAP）フレームをブロードキャストするように構成された送信部であって、MAPフレームは、少なくとも1つの接続ノードに関する情報を搬送する、送信部と、
を含み、
受信部は、少なくとも1つの接続ノードに関する情報に対応する接続ノードのうちの第1の接続ノードによって送信された登録要求を受信するようにさらに構成され、MAPフレーム内の少なくとも1つの接続ノードに関する情報が第1の接続ノードのノード情報を含むと第1の接続ノードが判断した場合には、登録要求が第1の接続ノードによって送信され、
送信部は、第1の接続ノードに認証パスワードを送信するようにさらに構成され、認証パスワードは、認証パスワードに従って認証を完了するために第1の接続ノードによって使用される。
【００４８】
第8の態様を参照して、第1の可能な実施では、接続ノード情報は、接続ノードのメディアアクセス制御（MAC）アドレスおよび／または接続ノードのノード識別子を含む。
【００４９】
第8の態様または第8の態様の第1の可能な実施を参照して、第2の可能な実施では、送信部は、
アクセス指示に搬送される少なくとも1つの接続ノードに関する情報を取得し、
ノード補助フィールドを含むMAPフレームを生成し、ノード補助フィールドは、少なくとも1つの接続ノードに関する情報を搬送し、
生成されたMAPフレームをブロードキャストするように具体的に構成される。
【００５０】
第8の態様または第8の態様の上記の可能な実施のいずれか1つを参照して、第3の可能な実施では、送信部は、
ネットワーク接続を許可するための時間ウィンドウを開き、
少なくとも1つの接続ノードに関する情報を搬送するMAPフレームを、ネットワーク接続を許可するための時間ウィンドウ内の少なくとも1つのMACサイクルで少なくとも1回ブロードキャストするように具体的に構成される。
【００５１】
第8の態様または第8の態様の上記の可能な実施のいずれか1つを参照して、第4の可能な実施では、送信部は、
第1の接続ノードに登録確認メッセージを送信するように具体的に構成され、確認メッセージは認証パスワードを搬送する。
【００５２】
第8の態様の第2の可能な実施を参照して、第5の可能な実施では、送信部は、
生成されたMAPフレームがブロードキャストされた後に、または第1の予め設定された期間の後に、またはMAPフレームのノード補助フィールドに搬送された接続ノード情報に対応する各接続ノードの認証の完了時に、ノード補助フィールドを含まないMAPフレームを生成し、ノード補助フィールドを含まないMAPフレームをブロードキャストするようにさらに構成され、
第1の期間は、ノード補助フィールドを含むMAPフレームがブロードキャストされる期間の値である。
【００５３】
第8の態様の第3の可能な実施を参照して、第6の可能な実施では、送信部は、
ネットワーク接続を許可するための時間ウィンドウが開かれた後に、または第2の予め設定された期間の後に、または接続されたノードによって送信されたアクセス停止指示の受信時に、ネットワーク接続を許可するための時間ウィンドウを閉じるようにさらに構成され、
第2の期間は、ネットワーク接続を可能にするための時間ウィンドウの期間の値である。
【００５４】
第9の態様によれば、ノードをネットワークに接続するための装置が提供され、本装置は、
ドメインマスタコントローラ（DM）によって送信され、少なくとも1つの接続ノードに関する情報を搬送するメディアアクセスプラン（MAP）フレームを受信するように構成された受信部と、
MAPフレーム内の少なくとも1つの接続ノードに関する情報が、ノードをネットワークに接続するための装置のノード情報を含む場合に、DMに登録要求を送信するように構成された送信部と、
受信部はさらに、登録要求に従ってDMによって返された認証パスワードを受信するようにさらに構成され、
認証パスワードに従って認証を完了するように構成された認証部と、
を含む。
【００５５】
第9の態様を参照して、第1の可能な実施では、受信部は、
MAPリレーノードによって転送されたMAPフレームを受信するように具体的に構成され、MAPフレームは、DMによって送信され、少なくとも1つの接続ノードに関する情報を搬送する。
【００５６】
第9の態様または第9の態様の第1の可能な実施を参照して、第2の可能な実施では、接続ノード情報は、接続ノードのメディアアクセス制御（MAC）アドレスおよび／または接続ノードのノード識別子を含む。
【００５７】
第9の態様または第9の態様の上記の可能な実施のいずれか1つを参照して、第3の可能な実施では、受信部は、
DMによって返され、認証パスワードを搬送する登録確認メッセージを受信するように具体的に構成される。
【００５８】
第10の態様によれば、ノードをネットワークに接続するための装置が提供され、本装置は、
接続されたノードによって送信されたアクセス指示を受信するように構成された受信部であって、アクセス指示は、少なくとも1つの接続ノードに関する情報を含む、受信部と、
アクセス指示内の少なくとも1つの接続ノードに関する情報に従って、対応する接続ノード識別情報を別々に生成する構成された生成部であって、接続ノード識別情報は、対応する各接続ノードを識別するために使用される、生成部と、
生成された接続ノード識別情報を搬送するMAPフレームをブロードキャストするように構成された送信部と、
を含み、
受信部は、生成された接続ノード識別情報に対応する接続ノードのうちの第1の接続ノードによって送信された登録要求を受信するようにさらに構成され、MAPフレーム内の接続ノード識別情報が第1の接続ノードの識別情報を含むと第1の接続ノードが判断した場合に、登録要求が第1の接続ノードによって送信され、
送信部は、アクセス指示内の少なくとも1つの接続ノードに関する情報に対応する接続ノードが第1の接続ノードを含むと判断し、第1の接続ノードに認証パスワードを送信するようにさらに構成され、認証パスワードは、認証パスワードに従って認証を完了するために第1の接続ノードによって使用される。
【００５９】
第10の態様を参照して、第1の可能な実施では、接続ノード情報は、接続ノードのメディアアクセス制御（MAC）アドレスおよび／または接続ノードのノード識別子を含む。
【００６０】
第10の態様の第1の可能な実施を参照して、第2の可能な実施では、アクセス指示内の少なくとも1つの接続ノードに関する情報に従って、対応する接続ノード識別情報を別々に生成する場合に、生成部は、
接続ノード情報が接続ノードのMACアドレスを含む場合には、各接続ノードのMACアドレスの各ビット位置に対応する値を別々に決定し、指定された規則に従って、各接続ノードのMACアドレス内のすべてのビット位置のうちの第1のビット位置の数を選択し、各接続ノードのMACアドレスで選択された第1のビット位置の数に対応する値に従って、対応する接続ノード識別情報を生成するように具体的に構成され、または、
接続ノード情報が接続ノードのノード識別子を含む場合には、各接続ノード識別子に対応する接続ノードのMACアドレスを別々に決定し、各接続ノードのMACアドレスの各ビット位置に対応する値を別々に決定し、指定された規則に従って、各接続ノードのMACアドレス内のすべてのビット位置のうちの第1のビット位置の数を選択し、各接続ノードのMACアドレスで選択された第1のビット位置の数に対応する値に従って、対応する接続ノード識別情報を生成するように具体的に構成される。
【００６１】
第10の態様または第10の態様の上記の可能な実施のいずれか1つを参照して、第3の可能な実施では、送信部は、
ノード補助フィールドを含むMAPフレームを生成し、ノード補助フィールドは、生成された接続ノード識別情報を搬送し、
生成されたMAPフレームをブロードキャストするように具体的に構成される。
【００６２】
第10の態様または第10の態様の上記の可能な実施のいずれか1つを参照して、第4の可能な実施では、送信部は、
ネットワーク接続を許可するための時間ウィンドウを開き、
生成された接続ノード識別情報を搬送するMAPフレームを、ネットワーク接続を許可するための時間ウィンドウ内の少なくとも1つのMACサイクルで少なくとも1回ブロードキャストするように具体的に構成される。
【００６３】
第10の態様または第10の態様の上記の可能な実施のいずれか1つを参照して、第5の可能な実施では、第1の接続ノードに認証パスワードを送信する場合に、送信部は、
第1の接続ノードに登録確認メッセージを送信するように具体的に構成され、確認メッセージは認証パスワードを搬送する。
【００６４】
第10の態様の第3の可能な実施を参照して、第6の可能な実施では、送信部は、
生成されたMAPフレームがブロードキャストされた後に、または第1の予め設定された期間の後に、またはアクセス指示内の接続ノード情報に対応する各接続ノードの認証の完了時に、ノード補助フィールドを含まないMAPフレームを生成し、ノード補助フィールドを含まないMAPフレームをブロードキャストするようにさらに構成され、
第1の期間は、ノード補助フィールドを含むMAPフレームがブロードキャストされる期間の値である。
【００６５】
第10の態様の第4の可能な実施を参照して、第7の可能な実施では、送信部は、
ネットワーク接続を許可するための時間ウィンドウが開かれた後に、または第2の予め設定された期間の後に、または接続されたノードによって送信されたアクセス停止指示の受信時に、ネットワーク接続を許可するための時間ウィンドウを閉じるようにさらに構成され、
第2の期間は、ネットワーク接続を可能にするための時間ウィンドウの期間の値である。
【００６６】
第11の態様によれば、ノードをネットワークに接続するための装置が提供され、本装置は、
ドメインマスタコントローラ（DM）によって送信され、少なくとも1つの接続ノードの識別情報を搬送するメディアアクセスプラン（MAP）フレームを受信するように構成された受信部と、
ノードをネットワークに接続するための装置を識別するために使用される識別情報を決定するように構成された決定部と、
MAPフレーム内の少なくとも1つの接続ノードの識別情報が、ノードをネットワークに接続するための装置を識別するために使用される決定された識別情報を含む場合に、DMに登録要求を送信するように構成された送信部と、
受信部はさらに、登録要求に従ってDMによって返された認証パスワードを受信するようにさらに構成され、
認証パスワードに従って認証を完了するように構成された認証部と、
を含む。
【００６７】
第11の態様を参照して、第1の可能な実施では、受信部は、
MAPリレーノードによって転送されたMAPフレームを受信するように具体的に構成され、MAPフレームは、DMによって送信され、少なくとも1つの接続ノードの識別情報を搬送する。
【００６８】
第11の態様または第11の態様の第1の可能な実施を参照して、第2の可能な実施では、決定部は、具体的には、
ノードをネットワークに接続するための装置のメディアアクセス制御（MAC）アドレス内の各ビット位置に対応する値を決定し、
指定された規則に従ってすべてのビット位置のうちの第1のビット位置の数を選択し、
選択された第1のビット位置の数に対応する値に従って、ノードをネットワークに接続するための装置を識別するために使用される識別情報を生成するように具体的に構成される。
【００６９】
第11の態様または第11の態様の上記の可能な実施のいずれか1つを参照して、第3の可能な実施では、受信部は、
DMによって返され、認証パスワードを搬送する登録確認メッセージを受信するように具体的に構成される。
【００７０】
第12の態様によれば、ノードをネットワークに接続するための装置が提供され、本装置は、
接続されたノードによって送信されたアクセス指示を受信するように構成された受信部であって、アクセス指示は、ノードをネットワークに接続するための装置が位置するドメインの認証パスワードを格納していないノードがネットワークに接続することを許可するように指示するために使用される、受信部と、
アクセス指示に従って、メディアアクセスプラン（MAP）フレームをブロードキャストするように構成された送信部であって、MAPフレームは、認証パスワードを有しないノードの登録を許可するための指示を搬送する、送信部と
を含み、
受信部は、ノードをネットワークに接続するための装置が位置するドメインの認証パスワードを格納していない接続ノードによって送信された登録要求を受信するようにさらに構成され、
送信部は、登録要求を送信したすべての接続ノードの接続ノード情報に従って第1の接続ノード情報セットを生成し、第1の接続ノード情報セットを接続されたノードに送信するようにさらに構成され、
受信部は、第1の接続ノード情報セットに従って、接続されたノードによって返された第2の接続ノード情報セットを受信するようにさらに構成され、第2の接続ノード情報セットは、第1の接続ノード情報セットのサブセットであり、
送信部は、第2の接続ノード情報セット内の接続ノード情報に対応する接続ノードに認証パスワードを送信するようにさらに構成され、認証パスワードは、認証パスワードに従って認証を完了するために接続ノードにより使用される。
【００７１】
第12の態様を参照して、第1の可能な実施では、接続ノード情報は、接続ノードのメディアアクセス制御（MAC）アドレスおよび／または接続ノードのノード識別子を含む。
【００７２】
第12の態様または第12の態様の第1の可能な実施を参照して、第2の可能な実施では、送信部は、
指定されたフィールドが追加されたMAPフレームをアクセス指示に従って生成し、指定されたフィールドは、認証パスワードを有しないノードの登録を許可するための指示を含み、認証パスワードを有しないノードの登録を許可するための指示は、ノードをネットワークに接続するための装置が位置するドメインの認証パスワードを格納していない接続ノードに登録要求を送信することを許可するように指示するために使用され、
生成されたMAPフレームをブロードキャストするように具体的に構成される。
【００７３】
第12の態様または第12の態様の上記の可能な実施のいずれか1つを参照して、第3の可能な実施では、送信部は、
ネットワーク接続を許可するための時間ウィンドウを開き、
認証パスワードを有しないノードの登録を許可するための指示を搬送するMAPフレームを、ネットワーク接続を許可するための時間ウィンドウ内の少なくとも1つのMACサイクルで少なくとも1回、ブロードキャストするように構成される。
【００７４】
第12の態様の第2の可能な実施を参照して、第4の可能な実施では、送信部はさらに、
生成されたMAPフレームがブロードキャストされた後に、第1の予め設定された期間の後に、指定されたフィールドが追加されていないMAPフレームを生成し、指定されたフィールドが追加されていないMAPフレームをブロードキャストするようにさらに構成され、
第1の期間は、指定されたフィールドが追加されたMAPフレームがブロードキャストされる期間の値である。
【００７５】
第12の態様の第3の可能な実施を参照して、第5の可能な実施では、送信部は、
ネットワーク接続を許可するための時間ウィンドウが開かれた後に、または第2の予め設定された期間の後に、または接続されたノードによって送信されたアクセス停止指示の受信時に、ネットワーク接続を許可するための時間ウィンドウを閉じるようにさらに構成され、
第2の期間は、ネットワーク接続を可能にするための時間ウィンドウの期間の値である。
【００７６】
第13の態様によれば、ノードをネットワークに接続するための装置が提供され、本装置は、
ドメインマスタコントローラ（DM）にアクセス指示を送信するように構成された送信部であって、アクセス指示は、DMが位置するドメインの認証パスワードを格納していないノードがネットワークに接続することを許可するようにDMに指示するために使用される、送信部と、
DMによって送信され、登録要求を送信したすべての接続ノードの接続ノード情報に従って生成された第1の接続ノード情報セットを受信するように構成された受信部と、
第1の接続ノード情報セットの接続ノード情報内の少なくとも1つの接続ノードに関する情報を選択し、少なくとも1つの接続ノードに関する選択された情報に従って第2の接続ノード情報セットを生成するように構成された生成部と、
を含み、
送信部は、第2の接続ノード情報セットをDMに送信するようにさらに構成される。
【００７７】
第13の態様を参照して、第1の可能な実施では、送信部は、
DMに第2の接続ノード情報セットを送信した後に、DMにアクセス停止指示を送信するようにさらに構成される。
【００７８】
第14の態様によれば、ノードをネットワークに接続するための装置が提供され、本装置は、
ドメインマスタコントローラ（DM）によって送信され、認証パスワードを有しないノードの登録を許可するための指示を搬送するメディアアクセスプラン（MAP）フレームを受信するように構成された受信部と、
DMが位置するドメインの認証パスワードを第1のノードが格納していない場合に、DMに登録要求を送信するように構成された送信部と、
受信部はさらに、登録要求に従ってDMによって返された認証パスワードを受信するようにさらに構成され、
認証パスワードに従って認証を完了するように構成された認証部と、
を含む。
【００７９】
第14の態様を参照して、第1の可能な実施では、受信部は、
MAPリレーノードによって転送されたMAPフレームを受信するように具体的に構成され、MAPフレームは、DMによって送信され、認証パスワードを有しないノードの登録を許可するための指示を搬送する。
【００８０】
第15の態様によれば、ノードをネットワークに接続するためのシステムが提供され、本システムは、
ドメインマスタコントローラ（DM）にアクセス指示を送信するように構成された接続されたノードを含み、アクセス指示は、少なくとも1つの接続ノードに関する情報を含み、
DMは、接続されたノードによって送信されたアクセス指示を受信し、アクセス指示に従ってメディアアクセスプラン（MAP）フレームをブロードキャストし、MAPフレームは、少なくとも1つの接続ノードに関する情報を搬送し、少なくとも1つの接続ノードに関する情報に対応する接続ノードによって送信された登録要求を受信し、接続ノードに認証パスワードを送信するように構成され、
接続ノードは、DMによって送信され、少なくとも1つの接続ノードに関する情報を搬送するMAPフレームを受信し、MAPフレーム内の少なくとも1つの接続ノードに関する情報がノードのノード情報を含むと判断した場合には、DMに登録要求を送信し、登録要求に従ってDMによって返された認証パスワードを受信し、認証パスワードに従って認証を完了するように構成される。
【００８１】
第16の態様によれば、ノードをネットワークに接続するためのシステムが提供され、本システムは、
ドメインマスタコントローラ（DM）にアクセス指示を送信するように構成された接続されたノードを含み、アクセス指示は、少なくとも1つの接続ノードに関する情報を含み、
DMは、接続されたノードによって送信されたアクセス指示を受信し、アクセス指示内の少なくとも1つの接続ノードに関する情報に従って対応する接続ノード識別情報を別々に生成し、接続ノード識別情報は、対応する各接続ノードを識別するために使用され、生成された接続ノード識別情報を搬送するメディアアクセスプラン（MAP）フレームをブロードキャストし、生成された接続ノード識別情報に対応する接続ノードによって送信された登録要求を受信し、アクセス指示内の少なくとも1つの接続ノードに関する情報に対応する接続ノードが接続ノードを含むと判断し、接続ノードに認証パスワードを送信するように構成され、
接続ノードは、DMによって送信され、接続ノード識別情報を搬送するMAPフレームを受信し、接続ノードを識別するために使用される識別情報を決定し、MAPフレーム内の少なくとも1つの接続ノードの識別情報が接続ノードを識別するために使用される決定された識別情報を含むと判断した場合に、登録要求をDMに送信し、登録要求に従ってDMによって返された認証パスワードを受信し、認証パスワードに従って認証を完了するように構成される。
【００８２】
第17の態様によれば、ノードをネットワークに接続するためのシステムが提供され、本システムは、
ドメインマスタコントローラ（DM）にアクセス指示を送信し、アクセス指示は、DMが位置するドメインの認証パスワードを格納していない接続ノードがネットワークに接続することを許可するように指示するために使用され、DMによって送信され、登録要求を送信したすべての接続ノードの接続ノード情報に従って生成された第1の接続ノード情報セットを受信し、第1の接続ノード情報セットの接続ノード情報から少なくとも1つの接続ノードに関する情報を選択し、少なくとも1つの接続ノードに関する選択された情報に従って第2の接続ノード情報セットを生成し、第2の接続ノード情報セットをDMに送信するように構成された接続されたノードを含み、
DMは、接続されたノードによって送信されたアクセス指示を受信し、アクセス指示に従って、メディアアクセスプラン（MAP）フレームをブロードキャストし、MAPフレームは、認証パスワードを有しないノードの登録を許可するための指示を搬送し、DMが位置するドメインの認証パスワードを格納していない接続ノードによって送信された登録要求を受信し、登録要求を送信したすべての接続ノードの接続ノード情報に従って第1の接続ノード情報セットを生成し、第1の接続ノード情報セットを接続されたノードに送信し、第1の接続ノード情報セットに従って接続されたノードによって返された第2の接続ノード情報セットを受信し、第2の接続ノード情報セット内の接続ノード情報に対応する接続ノードに認証パスワードを送信し、
接続ノードは、DMによって送信され、認証パスワードを有しないノードの登録を許可するための指示を搬送するMAPフレームを受信し、接続ノードがDMが位置するドメインの認証パスワードを格納していない場合に、DMに登録要求を送信し、登録要求に従ってDMによって返された認証パスワードを受信し、認証パスワードに従って認証を完了する。
【００８３】
本発明の実施形態では、接続されたノードによって送信され、少なくとも1つの接続ノードに関する情報を搬送するアクセス指示が受信され、少なくとも1つの接続ノードに関する情報を搬送するMAPフレームがアクセス指示に従ってブロードキャストされるので、接続ノード情報に対応する接続ノードがMAPフレームを受信した後に登録を直接完了し、DMが接続ノードに認証パスワードを送信し、そのようにして接続ノードが認証パスワードに従って認証を完了し、したがってネットワークに正常に接続する。このようにして、DMは、指定された接続ノードに関する情報を受信すると、指定された接続ノードが登録および認証を完了し、したがってネットワークに正常に接続することを許可することができる。明らかに、DMは、複数の接続ノードが同時にネットワークに接続することを許可し、それによってノードのネットワーク接続効率を向上させ、ネットワーク接続成功率を高め、ユーザエクスペリエンスとセキュリティを向上させることができる。
【図面の簡単な説明】
【００８４】
【図１】本発明の一実施形態による、ノードをネットワークに接続するためのDM側の装置の概略構成図である。
【図２】本発明の一実施形態による、ノードをネットワークに接続するための接続ノード側の装置の概略構成図である。
【図３】本発明の一実施形態による、ノードをネットワークに接続するためのDM側の装置の概略構成図である。
【図４】本発明の一実施形態による、ノードをネットワークに接続するための接続ノード側の装置の概略構成図である。
【図５】本発明の一実施形態による、ノードをネットワークに接続するためのDM側の装置の概略構成図である。
【図６】本発明の一実施形態による、ノードをネットワークに接続するための接続されたノード側の装置の概略構成図である。
【図７】本発明の一実施形態による、ノードをネットワークに接続するための接続ノード側の装置の概略構成図である。
【図８】本発明の一実施形態による、ノードをネットワークに接続するためのDM側における方法のフローチャートである。
【図９】本発明の一実施形態による、ノードをネットワークに接続するための接続ノード側における方法のフローチャートである。
【図１０】本発明の一実施形態による、ノードをネットワークに接続するためのDM側における方法のフローチャートである。
【図１１】本発明の一実施形態による、ノードをネットワークに接続するための接続ノード側における方法のフローチャートである。
【図１２】本発明の一実施形態による、ノードをネットワークに接続する方法の具体的なフローチャートである。
【図１３】本発明の一実施形態による、ノードをネットワークに接続するためのDM側における方法のフローチャートである。
【図１４】本発明の一実施形態による、ノードをネットワークに接続するための接続されたノード側における方法のフローチャートである。
【図１５】本発明の一実施形態による、ノードをネットワークに接続するための接続ノード側における方法のフローチャートである。
【図１６】本発明の一実施形態による、ノードをネットワークに接続する方法の具体的なフローチャートである。
【図１７】本発明の一実施形態による、ノードをネットワークに接続するためのシステムの概略構成図である。
【図１８】本発明の一実施形態による、ノードをネットワークに接続するためのシステムの概略構成図である。
【図１９】本発明の一実施形態による、ノードをネットワークに接続するためのシステムの概略構成図である。
【図２０】本発明の一実施形態による、インテリジェント端末装置の概略図である。
【図２１】本発明の一実施形態による、インテリジェント端末装置の概略図である。
【図２２】本発明の一実施形態による、インテリジェント端末装置の概略図である。
【図２３】本発明の一実施形態による、インテリジェント端末装置の概略図である。
【図２４】本発明の一実施形態による、インテリジェント端末装置の概略図である。
【図２５】本発明の一実施形態による、インテリジェント端末装置の概略図である。
【図２６】本発明の一実施形態による、インテリジェント端末装置の概略図である。
【発明を実施するための形態】
【００８５】
本発明の目的、技術的解決策、および効果を明確にするために、以下では添付の図面を参照して本発明を詳細にさらに説明する。明らかに、記載された実施形態は、本発明の実施形態のすべてではなく、その一部にすぎない。創造的努力なしに本発明の実施形態に基づいて当業者によって得られたすべての他の実施形態は、本発明の保護範囲内に含まれるものとする。
【００８６】
本発明の実施形態は、ノードをネットワークに接続するための方法、装置、およびシステムを提供し、プッシュボタンペアリング方式でノードをネットワークに接続する際の誤操作がネットワーク接続の失敗および比較的低いネットワーク成功率をもたらすという従来技術における問題を解決する。本方法および装置は同じ発明概念に基づいている。本方法の問題解決の原理は、装置のそれと同様である。したがって、装置の実施と方法の実施との間で相互参照を行うことができる。ここでは説明を繰り返すことはしない。
【００８７】
従来技術では、ノードがプッシュボタンペアリング方式でネットワークに接続するとき、ペアリングボタンは、現在のドメインおよび接続ノード内の任意のノード（DMまたは通常ノード）に別々にプッシュされる必要があり、接続ノードでペアリングボタンが押された時間は、ペアリングボタンがドメイン内のいずれかのノードで押された瞬間から120秒以内である必要がある。それ以外の場合、接続ノードはドメインに接続できません。したがって、ユーザの操作に対する要求が比較的高く、誤操作が容易に発生し、その結果、ノードをネットワークに接続することができず、ノードをネットワークに接続する確率が比較的低くなり、それによってユーザエクスペリエンスが損なわれる。本発明の技術的解決策によれば、接続されたノードによって送信され、かつ少なくとも1つの接続ノードに関する情報を搬送するアクセス指示が受信され、少なくとも1つの接続ノードに関する情報を搬送するMAPフレームがアクセス指示に従ってブロードキャストされることにより、接続ノード情報に対応する接続ノード情報は、MAPフレームを受信した後に直接登録を完了する。DMが認証パスワードを接続ノードに送信するので、接続ノードは認証パスワードに従って認証を完了し、したがってネットワークに正常に接続する。このようにして、DMは、指定された接続ノードに関する情報を受信すると、指定された接続ノードが登録および認証を完了し、したがってネットワークに正常に接続することを許可することができる。明らかに、DMは、複数の接続ノードが同時にネットワークに接続することを許可し、それによってノードのネットワーク接続効率を向上させ、ネットワーク接続成功率を高め、ユーザエクスペリエンスとセキュリティを向上させることができる。
【００８８】
本発明の実施形態は、ノードをネットワークに接続するための方法、装置、およびシステムを提供する。ノードをネットワークに接続するためのシステムは、G.hnベースのホームネットワークに適用可能である。ノードをネットワークに接続するための方法および装置は、G.hnベースのホームネットワーク内のインテリジェント端末装置に適用可能である。本発明の好ましい実施を添付の図面を参照して以下に詳細に説明する。
【００８９】
図1を参照すると、本発明の一実施形態は、ノードをネットワークに接続するための装置100をさらに提供する。装置100は、G.hnベースのホームネットワーク内のDMとして使用されるインテリジェント端末装置に適用可能である。装置100は、受信部101と送信部102とを含む。
【００９０】
受信部101は、接続されたノードによって送信されたアクセス指示を受信するように構成され、アクセス指示は、少なくとも1つの接続ノードに関する情報を含む。
【００９１】
送信部102は、アクセス指示に従ってMAPフレームをブロードキャストするように構成され、MAPフレームは少なくとも1つの接続ノードに関する情報を搬送する。
【００９２】
受信部101は、少なくとも1つの接続ノードに関する情報に対応する接続ノードのうちの第1の接続ノードによって送信された登録要求を受信するようにさらに構成され、MAPフレーム内の少なくとも1つの接続ノードに関する情報が第1の接続ノードのノード情報を含むと第1の接続ノードが判断した場合には、登録要求が第1の接続ノードによって送信される。
【００９３】
送信部102は、第1の接続ノードに認証パスワードを送信するようにさらに構成され、認証パスワードは、認証パスワードに従って認証を完了するために第1の接続ノードによって使用される。
【００９４】
任意選択的に、接続ノード情報は、接続ノードのメディアアクセス制御（MAC）アドレスおよび／または接続ノードのノード識別子を含む。
【００９５】
任意選択的に、送信部102は、
アクセス指示に搬送される少なくとも1つの接続ノードに関する情報を取得し、
ノード補助フィールドを含むMAPフレームを生成し、ノード補助フィールドは、少なくとも1つの接続ノードに関する情報を搬送し、
生成されたMAPフレームをブロードキャストする
ように具体的に構成される。
【００９６】
任意選択的に、送信部102は、
ネットワーク接続を許可するための時間ウィンドウを開き、
少なくとも1つの接続ノードに関する情報を搬送するMAPフレームを、ネットワーク接続を許可するための時間ウィンドウ内の少なくとも1つのMACサイクルで少なくとも1回ブロードキャストする
ように具体的に構成される。
【００９７】
任意選択的に、送信部102は、
第1の接続ノードに登録確認メッセージを送信するように具体的に構成され、確認メッセージは認証パスワードを搬送する。
【００９８】
任意選択的に、送信部102は、
生成されたMAPフレームがブロードキャストされた後に、または第1の予め設定された期間の後に、またはMAPフレームのノード補助フィールドに搬送された接続ノード情報に対応する各接続ノードの完了時に、ノード補助フィールドを含まないMAPフレームを生成し、ノード補助フィールドを含まないMAPフレームをブロードキャストするようにさらに構成され、
第1の期間は、ノード補助フィールドを含むMAPフレームがブロードキャストされる期間の値である。
【００９９】
任意選択的に、送信部102は、
ネットワーク接続を許可するための時間ウィンドウが開かれた後に、または第2の予め設定された期間の後に、または接続されたノードによって送信されたアクセス停止指示の受信時に、ネットワーク接続を許可するための時間ウィンドウを閉じるようにさらに構成され、
第2の期間は、ネットワーク接続を可能にするための時間ウィンドウの期間の値である。
【０１００】
図2を参照すると、本発明の一実施形態は、ノードをネットワークに接続するための装置200をさらに提供する。装置200は、G.hnベースのホームネットワークに接続し、通常のノードとして使用されるインテリジェント端末装置に適用可能である。装置200は、受信部201と、送信部202と、認証部203と、を含む。
【０１０１】
受信部201は、ドメインマスタコントローラ（DM）によって送信され、少なくとも1つの接続ノードに関する情報を搬送するMAPフレームを受信するように構成される。
【０１０２】
送信部202は、MAPフレーム内の少なくとも1つの接続ノードに関する情報が、ノードをネットワークに接続するための装置のノード情報を含む場合に、DMに登録要求を送信するように構成される。
【０１０３】
受信部201は、登録要求に従ってDMによって返された認証パスワードを受信するようにさらに構成される。
【０１０４】
認証部203は、認証パスワードに従って認証を完了するように構成される。
【０１０５】
任意選択的に、受信部201は、
MAPリレーノードによって転送されたMAPフレームを受信するように具体的に構成され、MAPフレームは、DMによって送信され、少なくとも1つの接続ノードに関する情報を搬送する。
【０１０６】
任意選択的に、接続ノード情報は、接続ノードのメディアアクセス制御（MAC）アドレスおよび／または接続ノードのノード識別子を含む。
【０１０７】
任意選択的に、受信部201は、
DMによって返され、認証パスワードを搬送する登録確認メッセージを受信する
ように具体的に構成される。
【０１０８】
図3を参照すると、本発明の一実施形態は、ノードをネットワークに接続するための装置300をさらに提供する。装置300は、G.hnベースのホームネットワーク内のDMとして使用されるインテリジェント端末装置に適用可能である。装置300は、受信部301と、生成部302と、送信部303と、を含む。
【０１０９】
受信部301は、接続されたノードによって送信されたアクセス指示を受信するように構成され、アクセス指示は、少なくとも1つの接続ノードに関する情報を含む。
【０１１０】
生成部302は、アクセス指示内の少なくとも1つの接続ノードに関する情報に従って、対応する接続ノード識別情報を別々に生成する構成され、接続ノード識別情報は、対応する各接続ノードを識別するために使用される。
【０１１１】
送信部303は、生成された接続ノード識別情報を搬送するMAPフレームをブロードキャストするように構成される。
【０１１２】
受信部301は、生成された接続ノード識別情報に対応する接続ノードのうちの第1の接続ノードによって送信された登録要求を受信するようにさらに構成され、MAPフレーム内の接続ノード識別情報が第1の接続ノードの識別情報を含むと第1の接続ノードが判断した場合に、登録要求が第1の接続ノードによって送信される。
【０１１３】
送信部303は、アクセス指示内の少なくとも1つの接続ノードに関する情報に対応する接続ノードが第1の接続ノードを含むと判断し、第1の接続ノードに認証パスワードを送信するようにさらに構成され、認証パスワードは、認証パスワードに従って認証を完了するために第1の接続ノードによって使用される。
【０１１４】
任意選択的に、接続ノード情報は、接続ノードのメディアアクセス制御（MAC）アドレスおよび／または接続ノードのノード識別子を含む。
【０１１５】
任意選択的に、アクセス指示内の少なくとも1つの接続ノードに関する情報に従って、対応する接続ノード識別情報を別々に生成する場合に、生成部302は、
接続ノード情報が接続ノードのMACアドレスを含む場合には、各接続ノードのMACアドレスの各ビット位置に対応する値を別々に決定し、指定された規則に従って、各接続ノードのMACアドレス内のすべてのビット位置のうちの第1のビット位置の数を選択し、各接続ノードのMACアドレスで選択された第1のビット位置の数に対応する値に従って、対応する接続ノード識別情報を生成するように具体的に構成され、または、
接続ノード情報が接続ノードのノード識別子を含む場合には、各接続ノード識別子に対応する接続ノードのMACアドレスを別々に決定し、各接続ノードのMACアドレスの各ビット位置に対応する値を別々に決定し、指定された規則に従って、各接続ノードのMACアドレス内のすべてのビット位置のうちの第1のビット位置の数を選択し、各接続ノードのMACアドレスで選択された第1のビット位置の数に対応する値に従って、対応する接続ノード識別情報を生成する
ように具体的に構成される。
【０１１６】
任意選択的に、送信部303は、
ノード補助フィールドを含むMAPフレームを生成し、ノード補助フィールドは、生成された接続ノード識別情報を搬送し、
生成されたMAPフレームをブロードキャストする
ように具体的に構成される。
【０１１７】
任意選択的に、送信部303は、
ネットワーク接続を許可するための時間ウィンドウを開き、
生成された接続ノード識別情報を搬送するMAPフレームを、ネットワーク接続を許可するための時間ウィンドウ内の少なくとも1つのMACサイクルで少なくとも1回ブロードキャストする
ように具体的に構成される。
【０１１８】
任意選択的に、第1の接続ノードに認証パスワードを送信する場合に、送信部303は、
第1の接続ノードに登録確認メッセージを送信するように具体的に構成され、確認メッセージは認証パスワードを搬送する。
【０１１９】
送信部303は、
生成されたMAPフレームがブロードキャストされた後に、または第1の予め設定された期間の後に、またはアクセス指示内の接続ノード情報に対応する各接続ノードの認証の完了時に、ノード補助フィールドを含まないMAPフレームを生成し、ノード補助フィールドを含まないMAPフレームをブロードキャストするようにさらに構成され、
第1の期間は、ノード補助フィールドを含むMAPフレームがブロードキャストされる期間の値である。
【０１２０】
送信部303は、
ネットワーク接続を許可するための時間ウィンドウが開かれた後に、または第2の予め設定された期間の後に、または接続されたノードによって送信されたアクセス停止指示の受信時に、ネットワーク接続を許可するための時間ウィンドウを閉じるようにさらに構成され、
第2の期間は、ネットワーク接続を可能にするための時間ウィンドウの期間の値である。
【０１２１】
図4を参照すると、本発明の一実施形態は、ノードをネットワークに接続するための装置400をさらに提供する。装置400は、G.hnベースのホームネットワークに接続し、通常のノードとして使用されるインテリジェント端末装置に適用可能である。装置400は、受信部401と、決定部402と、送信部403と、認証部404と、を含む。
【０１２２】
受信部401は、ドメインマスタコントローラ（DM）によって送信され、少なくとも1つの接続ノードの識別情報を搬送するメディアアクセスプラン（MAP）フレームを受信するように構成される。
【０１２３】
決定部402は、ノードをネットワークに接続するための装置400を識別するために使用される識別情報を決定するように構成される。
【０１２４】
送信部403は、MAPフレーム内の少なくとも1つの接続ノードの識別情報が、ノードをネットワークに接続するための装置を識別するために使用される決定された識別情報を含む場合に、DMに登録要求を送信するように構成される。
【０１２５】
受信部401は、登録要求に従ってDMによって返された認証パスワードを受信するようにさらに構成される。
【０１２６】
認証部404は、認証パスワードに従って認証を完了するように構成される。
【０１２７】
任意選択的に、受信部401は、
MAPリレーノードによって転送されたMAPフレームを受信するように具体的に構成され、MAPフレームは、DMによって送信され、少なくとも1つの接続ノードの識別情報を搬送する。
【０１２８】
任意選択的に、決定部402は、
ノードをネットワークに接続するための装置のメディアアクセス制御（MAC）アドレス内の各ビット位置に対応する値を決定し、
指定された規則に従ってすべてのビット位置のうちの第1のビット位置の数を選択し、
選択された第1のビット位置の数に対応する値に従って、ノードをネットワークに接続するための装置を識別するために使用される識別情報を生成する
ように具体的に構成される。
【０１２９】
任意選択的に、受信部401は、
DMによって返され、認証パスワードを搬送する登録確認メッセージを受信する
ように具体的に構成される。
【０１３０】
図5を参照すると、本発明の一実施形態は、ノードをネットワークに接続するための装置500をさらに提供する。装置500は、G.hnベースのホームネットワーク内のDMとして使用されるインテリジェント端末装置に適用可能である。装置は、受信部501と送信部502とを含む。
【０１３１】
受信部501は、接続されたノードによって送信されたアクセス指示を受信するように構成され、アクセス指示は、ノードをネットワークに接続するための装置が位置するドメインの認証パスワードを格納していないノードがネットワークに接続することを許可するように指示するために使用される。
【０１３２】
送信部502は、アクセス指示に従って、メディアアクセスプラン（MAP）フレームをブロードキャストするように構成され、MAPフレームは、認証パスワードを有しないノードの登録を許可するための指示を搬送する。
【０１３３】
受信部501は、ノードをネットワークに接続するための装置が位置するドメインの認証パスワードを格納していない接続ノードによって送信された登録要求を受信するようにさらに構成される。
【０１３４】
送信部502は、登録要求を送信したすべての接続ノードの接続ノード情報に従って第1の接続ノード情報セットを生成し、第1の接続ノード情報セットを接続されたノードに送信するようにさらに構成される。
【０１３５】
受信部501は、第1の接続ノード情報セットに従って、接続されたノードによって返された第2の接続ノード情報セットを受信するようにさらに構成され、第2の接続ノード情報セットは、第1の接続ノード情報セットのサブセットである。
【０１３６】
送信部502は、第2の接続ノード情報セット内の接続ノード情報に対応する接続ノードに認証パスワードを送信するようにさらに構成され、認証パスワードは、認証パスワードに従って認証を完了するために接続ノードにより使用される。
【０１３７】
任意選択的に、接続ノード情報は、接続ノードのメディアアクセス制御（MAC）アドレスおよび／または接続ノードのノード識別子を含む。
【０１３８】
任意選択的に、送信部502は、
指定されたフィールドが追加されたMAPフレームをアクセス指示に従って生成し、指定されたフィールドは、認証パスワードを有しないノードの登録を許可するための指示を含み、認証パスワードを有しないノードの登録を許可するための指示は、ノードをネットワークに接続するための装置が位置するドメインの認証パスワードを格納していない接続ノードに登録要求を送信するよう指示するために使用され、
生成されたMAPフレームをブロードキャストする
ように具体的に構成される。
【０１３９】
任意選択的に、送信部502は、
ネットワーク接続を許可するための時間ウィンドウを開き、
認証パスワードを有しないノードの登録を許可するための指示を搬送するMAPフレームを、ネットワーク接続を許可するための時間ウィンドウ内の少なくとも1つのMACサイクルで少なくとも1回、ブロードキャストする
ように構成される。
【０１４０】
任意選択的に、送信部502は、
生成されたMAPフレームがブロードキャストされた後に、第1の予め設定された期間の後に、指定されたフィールドが追加されていないMAPフレームを生成し、指定されたフィールドが追加されていないMAPフレームをブロードキャストするようにさらに構成され、
第1の期間は、指定されたフィールドが追加されたMAPフレームがブロードキャストされる期間の値である。
【０１４１】
任意選択的に、送信部502は、
ネットワーク接続を許可するための時間ウィンドウが開かれた後に、または第2の予め設定された期間の後に、または接続されたノードによって送信されたアクセス停止指示の受信時に、ネットワーク接続を許可するための時間ウィンドウを閉じるようにさらに構成され、
第2の期間は、ネットワーク接続を可能にするための時間ウィンドウの期間の値である。
【０１４２】
図6を参照すると、本発明の一実施形態は、ノードをネットワークに接続するための装置600をさらに提供する。装置600は、G.hnベースのホームネットワークに接続し、通常のノードとして使用されるインテリジェント端末装置に適用可能である。装置600は、送信部601と、受信部602と、生成部603と、を含む。
【０１４３】
送信部601は、ドメインマスタコントローラ（DM）にアクセス指示を送信するように構成され、アクセス指示は、DMが位置するドメインの認証パスワードを格納していないノードがネットワークに接続することを許可するようにDMに指示するために使用される。
【０１４４】
受信部602は、DMによって送信され、登録要求を送信したすべての接続ノードの接続ノード情報に従って生成された第1の接続ノード情報セットを受信するように構成される。
【０１４５】
生成部603は、第1の接続ノード情報セットの接続ノード情報から少なくとも1つの接続ノードに関する情報を選択し、少なくとも1つの接続ノードに関する選択された情報に従って第2の接続ノード情報セットを生成するように構成される。
【０１４６】
送信部601は、第2の接続ノード情報セットをDMに送信するようにさらに構成される。
【０１４７】
任意選択的に、送信部601は、
DMに第2の接続ノード情報セットを送信した後に、DMにアクセス停止指示を送信する
ようにさらに構成される。
【０１４８】
図7を参照すると、本発明の一実施形態は、ノードをネットワークに接続するための装置700をさらに提供する。装置700は、G.hnベースのホームネットワークに接続し、通常のノードとして使用されるインテリジェント端末装置に適用可能である。装置700は、受信部701と、送信部702と、認証部703と、を含む。
【０１４９】
受信部701は、ドメインマスタコントローラ（DM）によって送信され、認証パスワードを有しないノードの登録を許可するための指示を搬送するメディアアクセスプラン（MAP）フレームを受信するように構成される。
【０１５０】
送信部702は、DMが位置するドメインの認証パスワードを第1のノードが格納していない場合に、DMに登録要求を送信するように構成される。
【０１５１】
受信部701は、登録要求に従ってDMによって返された認証パスワードを受信するようにさらに構成される。
【０１５２】
認証部703は、認証パスワードに従って認証を完了するように構成される。
【０１５３】
任意選択的に、受信部701は、
MAPリレーノードによって転送されたMAPフレームを受信するように具体的に構成され、MAPフレームは、DMによって送信され、認証パスワードを有しないノードの登録を許可するための指示を搬送する。
【０１５４】
図8を参照すると、本発明の一実施形態は、ノードをネットワークに接続するための方法をさらに提供する。本方法は、G.hnベースのホームネットワーク内の現在のドメインにおいてDMとして使用されるインテリジェント端末装置に適用可能である。本方法の処理は、以下のステップを含む。
【０１５５】
ステップ801：接続されたノードによって送信されたアクセス指示を受信し、アクセス指示は少なくとも1つの接続ノードに関する情報を含む。
【０１５６】
接続されたノードは、少なくとも1つの接続ノードに関する情報を搬送するアクセス指示を送信する。明らかに、接続されたノードは接続ノードを決定した。接続されたノードによって決定された接続ノードは、接続されたノードにおいてユーザによって指定されてもよいし、予め設定されてもよい。要するに、接続ノードは、ユーザによって承認されている、すなわち、承認された接続ノードである。例えば、接続ノードは、接続されたノードにおいてユーザによって指定されてもよい。好ましくは、接続されたノードは、画面を有し、G.hnモジュールが構築されたインテリジェント端末装置であってもよく、ユーザは、画面を用いて接続ノードを選択または入力することができ、そのようにして画面を有するインテリジェント端末装置がアクセス指示をDMに送信する。
【０１５７】
現在のドメインは、セキュリティモードで動作するドメインである。接続されたノードによって決定された接続ノードは、現在のドメインの認証パスワードを格納しておらず、かつ、非セキュアモードで動作するドメインに接続しているノードであってもよいし、あるいは、いずれのドメインにも接続していないアイドル状態のノードであってもよい。
【０１５８】
具体的には、アクセス指示は、少なくとも1つの接続ノードに関する情報を含む。したがって、アクセス指示は、実際には接続ノード情報セットまたは接続ノードリスト情報である。接続ノード情報は、接続ノードのメディアアクセス制御（MAC）アドレスおよび／または接続ノードのノード識別子を含む。
【０１５９】
一般に、接続ノードのノード識別子は、接続ノードのMACアドレスに従って取得される。したがって、接続ノードのMACアドレスは、接続ノードのノード識別子に従って取得することができる。
【０１６０】
任意選択的に、接続されたノードによって送信されたアクセス指示を受信した後に、DMは接続されたノードに応答メッセージを返す。
【０１６１】
ステップ802：アクセス指示に従ってMAPフレームをブロードキャストし、MAPフレームは少なくとも1つの接続ノードに関する情報を搬送する。
【０１６２】
具体的には、アクセス指示に従って、少なくとも1つの接続ノードに関する情報を搬送するMAPフレームをブロードキャストするステップは、
アクセス指示に搬送される少なくとも1つの接続ノードに関する情報を取得するステップと、
ノード補助フィールドを含むMAPフレームを生成するステップであって、ノード補助フィールドは、少なくとも1つの接続ノードに関する情報を搬送する、ステップと、
生成されたMAPフレームをブロードキャストするステップと、
を含む。
【０１６３】
具体的には、少なくとも1つの接続ノードに関する情報を搬送するMAPフレームをブロードキャストするステップは、
ネットワーク接続を許可するための時間ウィンドウを開くステップと、
少なくとも1つの接続ノードに関する情報を搬送するMAPフレームを、ネットワーク接続を許可するための時間ウィンドウ内の少なくとも1つのMACサイクルで少なくとも1回ブロードキャストするステップと、
を含む。
【０１６４】
DMがMAPフレームをブロードキャストした後に、現在のドメインの認証パスワードを格納していないノードは、MAPフレームを受信し、MAPフレーム内の接続ノード情報に現在のノードのノード情報が含まれているかどうかを判断する。接続ノード情報に現在のノードのノード情報が含まれている場合には、それはそのノードが接続ノード情報に対応する接続ノードであることを示し、そのノードは登録要求をDMに送信し、そうでなければ、それはそのノードが接続ノード情報に対応する接続ノードではないことを示しており、そのノードは登録要求を送信しない。MAPフレームを受信すると、現在のドメインの認証パスワードを格納しているノードも登録要求を送信する。この解決策は従来技術における処理であり、詳細は本発明では再度説明しない。
【０１６５】
具体的には、接続ノード情報に接続ノードのMACアドレスが含まれている場合には、MAPフレーム内の接続ノード情報に現在ノードのノード情報が含まれているか否かを判断する際に、接続ノードに関する情報に含まれるMACアドレスがそのノードのMACアドレスを含むか否かをそのノードが判断する。
【０１６６】
同様に、接続ノード情報に接続ノードのノード識別子が含まれている場合には、MAPフレーム内の接続ノード情報に現在ノードのノード情報が含まれているか否かを判断する際に、接続ノードに関する情報に含まれるノード識別子がそのノードのノード識別子を含むか否かをそのノードが判断する。
【０１６７】
ステップ803：少なくとも1つの接続ノードに関する情報に対応する接続ノードのうちの第1の接続ノードによって送信された登録要求を受信し、第1の接続ノードが、MAPフレーム内の少なくとも1つの接続ノードに関する情報が第1の接続ノードのノード情報を含むと判断した場合には、登録要求が第1の接続ノードによって送信される。
【０１６８】
ステップ802の説明から分かるように、DMがMAPフレームをブロードキャストした後に、現在のドメインの認証パスワードを格納していないノードは、MAPフレームを受信し、MAPフレーム内の接続ノード情報に現在のノードのノード情報が含まれているかどうかを判断する。接続ノード情報に現在のノードのノード情報が含まれている場合には、それはそのノードが接続ノード情報に対応する接続ノードであることを示し、そのノードは登録要求をDMに送信する。
【０１６９】
ステップ804：第1の接続ノードに認証パスワードを送信し、認証パスワードは認証パスワードに従って認証を完了するために第1の接続ノードによって使用される。
【０１７０】
任意選択的に、認証パスワードが第1の接続ノードに送信されると、認証パスワードを搬送する登録確認メッセージを第1の接続ノードに直接送信することができる。
【０１７１】
任意選択的に、ノード補助フィールドを含む生成されたMAPフレームをブロードキャストした後に、本方法は、
第1の予め設定された期間の後に、またはMAPフレームのノード補助フィールドに搬送された接続ノード情報に対応する各接続ノードの認証の完了時に、ノード補助フィールドを含まないMAPフレームを生成し、ノード補助フィールドを含まないMAPフレームをブロードキャストするステップ
をさらに含む。
【０１７２】
第1の期間は、ノード補助フィールドを含むMAPフレームがブロードキャストされる期間の値である。任意選択的に、第1の期間は、120秒、150秒などであってもよい。第1の期間は、実際の経験に基づいてユーザによって設定されてもよい。これは、本発明のこの実施形態では限定されない。
【０１７３】
任意選択的に、ネットワーク接続を可能にする時間ウィンドウを開いた後に、本方法は、
第2の予め設定された期間の後に、または接続されたノードによって送信されたアクセス停止指示の受信時に、ネットワーク接続を許可するための時間ウィンドウを開くステップ
をさらに含む。
【０１７４】
第2の期間は、ネットワーク接続を許可するための時間ウィンドウの期間の値である。第2の期間は、ユーザによって予め設定されてもよい。
【０１７５】
本発明のこの実施形態で提供されるネットワークにノードを接続する方法によれば、接続されたノードによって送信され、少なくとも1つの接続ノードに関する情報を搬送するアクセス指示を受信した後に、DMが少なくとも1つの接続ノードに関する情報を搬送するMAPフレームをアクセス指示に従ってブロードキャストすることで、MAPフレームを受信した後に接続ノード情報に対応する接続ノードが直接登録を完了し、そしてDMが認証パスワードを接続ノードに送信することによって、接続ノードは認証パスワードに従って認証を完了し、したがってネットワークに正常に接続する。このようにして、DMは、指定された接続ノードに関する情報を受信すると、指定された接続ノードが登録および認証を完了し、したがってネットワークに正常に接続することを許可することができる。明らかに、DMは、複数の接続ノードが同時にネットワークに接続することを許可し、それによってノードのネットワーク接続効率を向上させ、ネットワーク接続成功率を高め、ユーザエクスペリエンスとセキュリティを向上させることができる。
【０１７６】
前述の実施形態に基づいて、図9を参照すると、本発明の一実施形態は、ノードをネットワークに接続するための方法をさらに提供する。本方法は、G.hnベースのホームネットワークに接続し、通常のノードとして使用されるインテリジェント端末装置に適用可能である。本方法の処理は、以下のステップを含む。
【０１７７】
ステップ901：第1のノードは、DMによって送信され、少なくとも1つの接続ノードに関する情報を搬送するMAPフレームを受信する。
【０１７８】
DMが少なくとも1つの接続ノードに関する情報を搬送するMAPフレームをブロードキャストする場合に、DMはまた、MAPフレームをMAPリレーノードに送信して、MAPフレームを転送するようにMAPリレーノードに指示し、転送されるMAPフレームはRMAPフレームである。そのノードが隠れノードである場合には、そのノードは、MAPリレーノードによって転送されたMAPフレームを受信する、すなわち、DMによって送信され、MAPリレーノードによって転送され、少なくとも1つの接続ノードに関する情報を搬送するMAPフレームを受信する。
【０１７９】
そのノードは、現在のドメインの認証パスワードを格納しておらず、かつ、非セキュアモードで動作するドメインに接続しているノードであってもよいし、あるいは、いずれのドメインにも接続していないアイドル状態のノードであってもよい。
【０１８０】
ステップ902：MAPフレーム内の少なくとも1つの接続ノードに関する情報が第1のノードのノード情報を含むと第1のノードが判断した場合には、DMに登録要求を送信する。
【０１８１】
具体的には、どのノードもMAPフレームを受信する。ステップ902を実行する場合、ノードは、MAPフレーム内の接続ノード情報が現在のノードのノード情報を含むか否かを判断する。接続ノード情報に現在のノードのノード情報が含まれている場合には、それはそのノードが接続ノード情報に対応する接続ノードであることを示し、そのノードは登録要求をDMに送信し、そうでなければ、それはそのノードが接続ノード情報に対応する接続ノードではないことを示している。現在のドメインの認証パスワードがそのノードに格納されている場合には、そのノードは登録要求も送信し、DMは認証パスワードを搬送しない登録確認メッセージをノードに返す。現在のドメインの認証パスワードがそのノードに格納されていない場合には、そのノードは登録要求を送信しない。
【０１８２】
接続ノード情報は、接続ノードのMACアドレスおよび／または接続ノードのノード識別子を含む。
【０１８３】
具体的には、接続ノード情報に接続ノードのMACアドレスが含まれている場合には、MAPフレーム内の接続ノード情報に現在ノードのノード情報が含まれているか否かを判断する際に、接続ノードに関する情報に含まれるMACアドレスがそのノードのMACアドレスを含むか否かをそのノードが判断する。
【０１８４】
同様に、接続ノード情報に接続ノードのノード識別子が含まれている場合には、MAPフレーム内の接続ノード情報に現在ノードのノード情報が含まれているか否かを判断する際に、接続ノードに関する情報に含まれるノード識別子がそのノードのノード識別子を含むか否かをそのノードが判断する。
【０１８５】
ステップ903：第1のノードは、登録要求に従ってDMによって返された認証パスワードを受信し、認証パスワードに従って認証を完了する。
【０１８６】
任意選択的に、ステップ903が実行される場合に、本方法は、DMによって返され、認証パスワードを搬送する登録確認メッセージを受信するステップを含む。
【０１８７】
具体的には、DMによって送信された認証パスワードを受信した後に、そのノードは認証パスワードに従って現在のドメインのSCとの認証を行う。認証が成功した後に、ノードは現在のドメインに接続し、データ伝送を実行することができる。
【０１８８】
図10を参照すると、本発明の一実施形態は、ノードをネットワークに接続するための方法をさらに提供する。本方法は、G.hnベースのホームネットワーク内の現在のドメインにおいてDMとして使用されるインテリジェント端末装置に適用可能である。本方法の処理は、以下のステップを含む。
【０１８９】
ステップ1001：接続されたノードによって送信されたアクセス指示を受信し、アクセス指示は少なくとも1つの接続ノードに関する情報を含む。
【０１９０】
具体的には、接続ノード情報は、接続ノードのMACアドレスおよび／または接続ノードのノード識別子を含む。
【０１９１】
接続されたノードは、少なくとも1つの接続ノードに関する情報を搬送するアクセス指示を送信する。明らかに、接続されたノードは接続ノードを決定した。接続されたノードによって決定された接続ノードは、接続されたノードにおいてユーザによって指定されてもよいし、予め設定されてもよい。ユーザが接続されたノードに接続ノードを指定することができる場合には、好ましくは、接続されたノードは、画面を有し、G.hnモジュールが構築されたインテリジェント端末装置であってもよく、ユーザは、画面を用いて接続ノードを選択または入力することができ、そのようにして画面を有するインテリジェント端末装置がアクセス指示をDMに送信する。
【０１９２】
現在のドメインは、セキュリティモードで動作するドメインである。接続されたノードによって決定された接続ノードは、現在のドメインの認証パスワードを格納しておらず、かつ、非セキュアモードで動作するドメインに接続しているノードであってもよいし、あるいは、いずれのドメインにも接続していないアイドル状態のノードであってもよい。
【０１９３】
具体的には、アクセス指示は、少なくとも1つの接続ノードに関する情報を含む。したがって、アクセス指示は、実際には接続ノード情報セットまたは接続ノードリスト情報である。接続ノード情報は、接続ノードのMACアドレスおよび／または接続ノードのノード識別子を含む。
【０１９４】
一般に、接続ノードのノード識別子は、接続ノードのMACアドレスに従って取得される。したがって、接続ノードのMACアドレスは、接続ノードのノード識別子に従って取得することができる。
【０１９５】
任意選択的に、接続されたノードによって送信されたアクセス指示を受信した後に、DMは接続されたノードに応答メッセージを返す。
【０１９６】
ステップ1002：アクセス指示内の少なくとも1つの接続ノードに関する情報に従って、対応する接続ノード識別情報を別々に生成し、接続ノード識別情報は対応する各接続ノードを識別するために使用される。
【０１９７】
具体的には、アクセス指示内の少なくとも1つの接続ノードに関する情報に従って、対応する接続ノード識別情報を別々に生成するステップは、
接続ノード情報が接続ノードのMACアドレスを含む場合には、各接続ノードのMACアドレスの各ビット位置に対応する値を別々に決定し、指定された規則に従って各接続ノードのMACアドレスの全ビット位置のうちの第1のビット位置の数を選択し、各接続ノードのMACアドレスの選択された第1のビット位置の数に対応する値に従って対応する接続ノード識別情報を生成するステップか、あるいは、
接続ノード情報が接続ノードのノード識別子を含む場合には、各接続ノード識別子に対応する接続ノードのMACアドレスを別々に決定し、各接続ノードのMACアドレスの各ビット位置に対応する値を別々に決定し、指定された規則に従って各接続ノードのMACアドレスの全ビット位置のうちの第1のビット位置の数を選択し、各接続ノードのMACアドレスの選択された第1のビット位置の数に対応する値に従って対応する接続ノード識別情報を生成するステップ、
を含む。
【０１９８】
第1の数の値は、4、5、6などであってもよい。これは、本発明のこの実施形態では限定されない。
【０１９９】
指定された規則は、DMと接続ノードによって合意され、共有される。例えば、第1の数が4である場合、指定された規則は、MACアドレス内のビット位置の最初の4つのビット位置もしくは最後の4つのビット位置を選択すること、またはNビット位置毎にビット位置を選択することであってもよい。これは、本発明のこの実施形態では限定されない。
【０２００】
接続ノード識別情報は、MAPフレームで搬送されるので、MAPフレームで搬送されるデータ量を減らすことができ、MAPフレームの伝送効率を向上させることができる。しかしながら、接続ノードの識別情報に対応する複数のMACアドレスが存在する場合がある。例えば、接続ノードのMACアドレスは...0101であり、MACアドレスの最後の4ビット位置の値を選択することによって生成された接続ノード識別情報は0101である。しかし、最後の4ビット位置が0101である複数のMACアドレスが存在する可能性がある。
【０２０１】
ステップ1003：生成された接続ノード識別情報を搬送するMAPフレームをブロードキャストする。
【０２０２】
具体的には、ステップ1003が実行される場合、本方法は、
ノード補助フィールドを含むMAPフレームを生成するステップであって、ノード補助フィールドは生成された接続ノード識別情報を搬送するステップと、
生成されたMAPフレームをブロードキャストするステップと、
を含むことができる。
【０２０３】
具体的には、生成された接続ノード識別情報を搬送するMAPフレームをブロードキャストするステップは、
ネットワーク接続を許可するための時間ウィンドウを開くステップと、
生成された接続ノード識別情報を搬送するMAPフレームを、ネットワーク接続を許可するための時間ウィンドウ内の少なくとも1つのMACサイクルで少なくとも1回ブロードキャストするステップと、
を含む。
【０２０４】
DMがMAPフレームをブロードキャストによって送信した後に、現在のドメインの認証パスワードを格納していないノードは、MAPフレームを受信し、MAPフレーム内の接続ノード識別情報に現在のノードの識別情報が含まれているかどうかを判断する。接続ノード識別情報が現在のノードの識別情報を含む場合には、そのノードは登録要求をDMに送信し、それ以外の場合には、そのノードは登録要求を送信しない。MAPフレームを受信すると、現在のドメインの認証パスワードを格納しているノードも登録要求を送信する。この解決策は従来技術における処理であり、詳細は本発明では再度説明しない。
【０２０５】
ステップ1004：生成された接続ノード識別情報に対応する接続ノードのうちの第1の接続ノードによって送信された登録要求を受信し、第1の接続ノードが、MAPフレーム内の接続ノード識別情報が第1の接続ノードの識別情報を含むと判断した場合には、登録要求が第1の接続ノードによって送信される。
【０２０６】
ステップ1005：アクセス指示内の少なくとも1つの接続ノードに関する情報に対応する接続ノードが第1の接続ノードを含むと判断して、第1の接続ノードに認証パスワードを送信し、認証パスワードは、認証パスワードに従って認証を完了するために第1の接続ノードによって使用される。
【０２０７】
アクセス指示内の少なくとも1つの接続ノードに関する情報に対応する接続ノードが第1の接続ノードを含む、すなわち、第1の接続ノードが接続されたノードによって決定された承認された接続ノードであると判断される。
【０２０８】
ステップ1002から分かるように、接続ノードの識別情報に対応する複数のMACアドレスがあり、複数のMACアドレスに対応する接続ノードはすべて登録要求を送信することができる。したがって、DMは、接続ノード識別情報に従って登録要求を返す複数の接続ノードから、アクセス指示によって示される接続ノードを選択する必要がある。
【０２０９】
任意選択的に、第1の接続ノードに認証パスワードを送信するステップは、
第1の接続ノードに登録確認メッセージを送信するステップを含み、確認メッセージは認証パスワードを搬送する。
【０２１０】
任意選択的に、生成された接続ノード識別情報を搬送するMAPフレームをブロードキャストした後に、本方法は、
第1の予め設定された期間の後に、またはアクセス指示内の接続ノード情報に対応する各接続ノードの認証の完了時に、ノード補助フィールドを含まないMAPフレームを生成し、ノード補助フィールドを含まないMAPフレームをブロードキャストするステップ
をさらに含む。
【０２１１】
第1の期間は、ノード補助フィールドを含むMAPフレームがブロードキャストされる期間の値である。任意選択的に、第1の期間は、120秒、150秒などであってもよい。これは、本発明のこの実施形態では限定されない。
【０２１２】
任意選択的に、ネットワーク接続を可能にする時間ウィンドウを開いた後に、本方法は、
第2の予め設定された期間の後に、または接続されたノードによって送信されたアクセス停止指示の受信時に、ネットワーク接続を許可するための時間ウィンドウを開くステップ
をさらに含む。
【０２１３】
第2の期間は、ネットワーク接続を許可するための時間ウィンドウの期間の値である。
【０２１４】
本発明のこの実施形態で提供されるネットワークにノードを接続する方法によれば、接続されたノードによって送信され、少なくとも1つの接続ノードに関する情報を搬送するアクセス指示を受信した後に、DMが少なくとも1つの接続ノードの識別情報を搬送するMAPフレームをアクセス指示に従ってブロードキャストすることで、MAPフレームを受信した後に接続ノード識別情報に対応する接続ノードが直接登録を完了し、そしてDMが認証パスワードを接続ノードに送信することによって、接続ノードは認証パスワードに従って認証を完了し、したがってネットワークに正常に接続する。このようにして、DMは、指定された接続ノードに関する情報を受信すると、指定された接続ノードが登録および認証を完了し、したがってネットワークに正常に接続することを許可することができる。明らかに、DMは、複数の接続ノードが同時にネットワークに接続することを許可し、それによってノードのネットワーク接続効率を向上させ、ネットワーク接続成功率を高め、ユーザエクスペリエンスとセキュリティを向上させることができる。
【０２１５】
前述の実施形態に基づいて、図11を参照すると、本発明の一実施形態は、ノードをネットワークに接続するための方法をさらに提供する。本方法は、G.hnベースのホームネットワークに接続し、通常のノードとして使用されるインテリジェント端末装置に適用可能である。本方法の処理は、以下のステップを含む。
【０２１６】
ステップ1101：第1のノードは、DMによって送信され、少なくとも1つの接続ノードの識別情報を搬送するMAPフレームを受信する。
【０２１７】
具体的には、ステップ1101が実行される際に、ノードが非隠れノードである場合には、そのノードはDMによって送信されたMAPフレームを直接受信することができ、ノードが隠れノードである場合には、そのノードは、DMによって送信されて、MAPリレーノードによって転送された、少なくとも1つの接続ノードの識別情報を搬送するMAPフレームを受信する。
【０２１８】
そのノードは、現在のドメインの認証パスワードを格納しておらず、かつ、非セキュアモードで動作するドメインに接続しているノードであってもよいし、あるいは、いずれのドメインにも接続していないアイドル状態のノードであってもよい。
【０２１９】
ステップ1102：第1のノードは、第1のノードを識別するために使用される識別情報を決定し、MAPフレーム内の少なくとも1つの接続ノードの識別情報が第1のノードを識別するために使用される決定された識別情報を含むと第1のノードが判断した場合には、DMに登録要求を送信する。
【０２２０】
具体的には、第1のノードを識別するために使用される識別情報を、第1のノードにより決定するステップは、
第1のノードのMACアドレス内の各ビット位置に対応する値を、第1のノードにより決定するステップと、
指定された規則に従ってすべてのビット位置のうちの第1のビット位置の数を選択するステップと、
選択された第1のビット位置の数に対応する値に従って、第1のノードを識別するために使用される識別情報を生成するステップと、
を含む。
【０２２１】
第1のノードの識別情報が決定された場合に使用される指定された規則は、DMとのネゴシエーションにより設定される。したがって、ノードは、DMによって選択された規則と同じ規則を選択する必要がある。
【０２２２】
具体的には、どのノードもMAPフレームを受信する。ノードがステップ1102を実行すると、ノードは、MAPフレーム内の接続ノード識別情報に現在のノードの識別情報が含まれているかどうかを判断し、接続ノード識別情報に現在のノードの識別情報が含まれている場合には、ノードがDMに登録要求を送信する。そうではなく、ノードが現在のドメインの認証パスワードを格納している場合には、ノードはまた登録要求を送信し、DMが認証パスワードを搬送しない登録確認メッセージをそのノードに返す。ノードが現在のドメインの認証パスワードを格納していない場合には、ノードは登録要求を送信しない。
【０２２３】
ステップ1103：第1のノードは、登録要求に従ってDMによって返された認証パスワードを受信し、認証パスワードに従って認証を完了する。
【０２２４】
DMによって返された認証パスワードを受信するステップは、
DMによって返され、認証パスワードを搬送する登録確認メッセージを受信するステップ
を含む。
【０２２５】
DMによって送信された認証パスワードを受信した後に、そのノードは認証パスワードに従って現在のドメインのSCとの認証を行う。認証が成功した後に、ノードは現在のドメインに接続し、データ伝送を実行することができる。
【０２２６】
前述の実施形態に基づいて、図12を参照すると、本発明の一実施形態は、ノードをネットワークに接続するための方法をさらに提供する。本方法の具体的な処理は、以下のステップを含む。
【０２２７】
ステップ1201：接続されたノードEP0は、現在のドメインのDMにアクセス指示を送信し、アクセス指示は、少なくとも1つの接続ノードに関する情報を搬送する。
【０２２８】
具体的には、接続されたノードEP0は、最初に、承認された接続ノードを決定する必要がある。具体的には、接続されたノードEP0は、画面を有し、G.hnモジュールが構築されたインテリジェント端末装置であってもよく、ユーザは、画面（ユーザインターフェース）を用いて接続ノード情報を選択または入力することができ、そのようにして画面を有するインテリジェント端末装置がアクセス指示をDMに送信する。
【０２２９】
接続されたノードEP0が属する現在のドメインは、セキュリティモードで動作する。好ましくは、接続されたノードEP0は、画面を有し、G.hnモジュールが構築されたインテリジェント端末装置であってもよい。
【０２３０】
接続されたノードEP0が画面を有するインテリジェント端末装置である場合に、接続されたノードEP0は、接続ノードを次の2つの方法で決定することができる。
【０２３１】
接続されたノードEP0は、現在のドメインに属さないノードのリストを表示することができる。現在のドメインに属さないノードのリストは、接続されたノードEP0の画面（ユーザインターフェース）を用いてユーザが入力してもよいし、接続されたノードEP0によって検出されてもよい。これは、本発明のこの実施形態では限定されない。ユーザは、接続されたノードEP0によって表示された、現在のドメインに属さないノードのリストにおいて、少なくとも1つのノードを承認された接続ノードとして選択する。
【０２３２】
ユーザは、接続されたノードEP0の画面（ユーザインターフェース）に接続ノードを直接入力する。
【０２３３】
接続されたノードEP0は、接続ノードを決定した後に、選択された接続ノードの情報セットを現在のドメインのDMに送信し、接続ノード情報セットは、少なくとも1つの接続ノードに関する情報、すなわちアクセス指示を含む。
【０２３４】
接続ノード情報セットのメッセージフォーマットを表1に示す。ここで、REGIDは一般にノードのMACアドレスである。
【０２３５】
【表１】
0006512725.tif 000002
【０２３６】
ステップ1202：接続されたノードEP0によって送信され、少なくとも1つの接続ノードに関する情報を搬送するアクセス指示を受信した後、現在のドメインのDMは、接続ノードがネットワークに接続することを許可するために、ネットワーク接続を許可するための時間ウィンドウを開いて、ノード補助フィールドを含むMAPフレームを、ネットワーク接続を許可するための時間ウィンドウ内の各MACサイクルにおいて少なくとも1回ブロードキャストによって送信する。
【０２３７】
任意選択的に、接続されたノードEP0によって送信され、少なくとも1つの接続ノードに関する情報を搬送するアクセス指示を受信した後に、DMは、対応する応答メッセージを接続されたノードEP0に送信する。
【０２３８】
少なくとも1つの接続ノードに関する情報を搬送するMAPフレームは、DMによって生成され、ノード補助フィールドを含むMAPフレームであり、ノード補助フィールドは少なくとも1つの接続ノードに関する情報を搬送するか、またはMACアドレスに従って生成された接続ノード識別情報を搬送する。
【０２３９】
具体的には、ノード補助フィールドのフォーマットを表2または表3に示す。
【０２４０】
【表２】
0006512725.tif 000003
【０２４１】
【表３】
0006512725.tif 000004
【０２４２】
ノード補助フィールド内の接続ノード識別情報NodeIDは、対応する接続ノードのMACアドレスを用いて取得することができる。例えば、ノードの48ビットのMACアドレスの第6ビットから6ビット毎に、第6ビット、第12ビット、および第18ビットなどから第48ビットまでを抽出して、8ビットの長さの識別情報を形成することができ、あるいはMACアドレスの最後の8ビットを選択して、8ビットの長さのノード識別子を形成することができ、あるいは第3ビットから3ビット毎に第3ビット、第6ビット、および第9ビットなどから第48ビットまでを抽出して、16ビットの長さのノード識別子を形成することができる。これは本明細書に限定されない。
【０２４３】
ステップ1203：ノードEPは、DMによって送信されたMAPフレームを受信した後に、MAPフレーム内の接続ノード情報に現在のノードのノード情報が含まれているか否かを判断する。接続ノード情報が現在のノードのノード情報を含む場合には、それはそのノードが承認された接続ノードであることを示しており、ノードEPは登録要求をDMに送信する。あるいは、ノードEPは、MAPフレーム内の接続ノード識別情報が現在のノードの識別情報を含むか否かを判断する。接続ノード識別情報が現在のノードの識別情報を含む場合には、そのノードEPは登録要求をDMに送信する。
【０２４４】
任意選択的に、ノードEPがDMによって送信されたMAPフレームを受信する前に、ユーザはノードEPにおいてプッシュボタン操作を実行して、DMからMAPフレームを受信するようにノードEPをトリガし、ネットワーク接続の登録と承認を行う必要がある。
【０２４５】
MAPフレーム内の接続ノード情報が現在のノードのノード情報を含むか否かをノードEPによって判断するステップは、接続ノード情報が現在のノードEPのREGIDを含むか否かを判断するステップであってもよい。
【０２４６】
ステップ1204：DMは、接続ノードEPにより送信された登録要求を受信し、接続要求を送信する接続ノードEPがアクセス指示内の接続ノード情報に含まれているか否かを判断し、接続ノードEPが接続ノード情報に含まれている場合には、登録確認メッセージおよび現在のドメインの認証パスワードを接続ノードEPに送信する。任意選択的に、現在のドメインの認証パスワードは、DMによる登録確認メッセージに含まれてもよい。接続ノードEPが接続ノード情報に含まれない場合には、DMは接続ノードEPに登録確認メッセージを送信するが、現在のドメインの認証パスワードを送信することはできない。
【０２４７】
接続ノードEPは、現在のドメインの認証パスワードを受信した後に、認証パスワードに従って現在のドメインのSCとの認証を行うことができる。
【０２４８】
ステップ1205：接続ノードのネットワーク接続が停止されたことを確認した後に、接続されたノードEP0は、DMにアクセス停止指示を送信して、ネットワーク接続を許可する時間ウィンドウを閉じるようDMに指示する。
【０２４９】
接続されたノードEP0の画面を使用してユーザが入力した停止指示に従って、接続ノードのネットワーク接続が停止されたことを、接続されたノードEP0によって確認することができる。
【０２５０】
DMがネットワーク接続を許可する時間ウィンドウを閉じた後に、DMは各MACサイクルで通常のMAPフレームをブロードキャストにより送信する。
【０２５１】
図13を参照すると、本発明の一実施形態は、ノードをネットワークに接続するための方法を提供する。本方法は、G.hnベースのホームネットワーク内の現在のドメインにおいてDMとして使用されるインテリジェント端末装置に適用可能である。本方法の処理は、以下のステップを含む。
【０２５２】
ステップ1301：DMは、接続されたノードによって送信されたアクセス指示を受信し、アクセス指示は、DMが位置するドメインの認証パスワードを格納していない接続ノードがネットワークに接続することを許可するように指示するために使用される。
【０２５３】
接続されたノードによって送信されたアクセス指示を受信した後、任意選択的に、DMは接続されたノードに応答メッセージを送信することができる。
【０２５４】
任意選択的に、ユーザは、接続されたノードを設定することにより、現在のドメインに新しいノードを追加することを開始することができ、接続されたノードは、現在のドメインのDMにアクセス指示を送信する。
【０２５５】
好ましくは、接続されたノードは、画面を有し、G.hnモジュールが構築されたインテリジェント端末装置であってもよく、ユーザは、画面を用いて現在のドメインに新しいノードを追加することを開始することができ、そのようにして画面を有するインテリジェント端末装置がアクセス指示をDMに送信する。
【０２５６】
現在のドメインの認証パスワードを格納していないノードは、現在のドメインに接続したことのないノードであり、そのノードは、非セキュリティモードで動作するドメインに接続しているノードであってもよいし、いずれのドメインにも接続していないアイドル状態のノードであってもよい。
【０２５７】
ステップ1302：DMは、アクセス指示に従ってMAPフレームをブロードキャストし、MAPフレームは、認証パスワード有しないノードの登録を許可するための指示を搬送する。
【０２５８】
具体的には、認証パスワードを有しないノードの登録を許可するための指示を搬送するMAPフレームを、アクセス指示に従ってブロードキャストするステップは、
指定されたフィールドが追加されたMAPフレームをアクセス指示に従って生成するステップであって、指定されたフィールドは、認証パスワードを有しないノードの登録を許可するための指示を含み、認証パスワードを有しないノードの登録を許可するための指示は、現在のドメインの認証パスワードを格納していない接続ノードが登録要求を送信することを許可するよう指示するために使用される、ステップと、
生成されたMAPフレームをブロードキャストするステップと、
を含む。
【０２５９】
例えば、指定されたフィールド、例えば1ビットまたは2ビットが、既存のMAPフレームのフレームヘッダに追加され、指定されたフィールドには、認証パスワードを有しないノードの登録を許可するための指示が含まれる。MAPフレームを受信した後に、ノードは、まず、MAPフレームに搬送された認証パスワードを有しないノードの登録を許可するための指示に従って登録を行うが、一時的に認証を行わない。
【０２６０】
任意選択的に、認証パスワードを有しないノードの登録を許可するための指示を搬送するMAPフレームを送信するステップは、
ネットワーク接続を許可するための時間ウィンドウを開くステップと、
認証パスワードを有しないノードの登録を許可するための指示を搬送するMAPフレームを、ネットワーク接続を許可するための時間ウィンドウ内の少なくとも1つのMACサイクルで少なくとも1回ブロードキャストするステップと、
を含む。
【０２６１】
DMは、MAPフレームをブロードキャストにより送信した後に、任意のノードはMAPフレームを受信し、現在のドメインの認証パスワードがノードにローカルに格納されていないかどうかを判断する。現在のドメインの認証パスワードがノードにローカルに格納されていない場合には、そのノードは接続ノードであり、そのノードは登録要求をDMに送信する。現在のドメインの認証パスワードがノードにローカルに格納されている場合には、そのノードが接続ノードではないことを示しているが、そのノードは登録を直接完了することができ、DMに認証パスワードを送信するよう要求することなく、認証されてネットワークに接続することができる。
【０２６２】
ステップ1303：DMは、DMが位置するドメインの認証パスワードを格納していない接続ノードによって送信された登録要求を受信する。
【０２６３】
任意選択的に、DMは、現在のドメインの認証パスワードを格納していない現在の接続ノードによって送信された登録要求を受信し、登録確認メッセージを接続ノードに送信し、それによって接続ノードの登録を完了する。
【０２６４】
一般に、ネットワーク接続を許可するための時間ウィンドウ内で、DMは、複数の接続ノードの登録を実行し、それによって接続ノードの登録効率を向上させることができる。
【０２６５】
ステップ1304：登録要求を送信したすべての接続ノードの接続ノード情報に従って第1の接続ノード情報セットを生成し、第1の接続ノード情報セットを接続されたノードに送信する。
【０２６６】
ステップ1303の記述では、DMは、現在のドメインの認証パスワードを格納していない現在の接続ノードによって送信された登録要求を受信し、登録確認メッセージを接続ノードに送信し、それによって接続ノードの登録を完了する。したがって、ステップ1304が実行されると、登録確認メッセージが送信された接続ノードに従って、第1の接続ノード情報セットも生成することができる。
【０２６７】
任意の接続ノードに関する情報は、接続ノードのMACアドレスおよび／または接続ノードのノード識別子を含む。
【０２６８】
第1の接続ノード情報セットは、接続されたノードに送信され、ユーザは、登録およびネットワーク接続のために、接続されたノードにおける複数の接続ノードに関する情報から1つまたは複数の接続ノードを選択することができ、それによってユーザエクスペリエンスおよびセキュリティを向上させる。
【０２６９】
ステップ1305：DMは、第1の接続ノード情報セットに基づいて、接続されたノードによって返された第2の接続ノード情報セットを受信し、第2の接続ノード情報セットは、第1の接続ノード情報セットのサブセットである。
【０２７０】
任意選択的に、第2の接続ノード情報セットを受信した後に、DMは、対応する応答メッセージを接続されたノードに送信することができる。
【０２７１】
ステップ1306：DMは、第2の接続ノード情報セット内の接続ノード情報に対応する接続ノードに認証パスワードを送信し、認証パスワードは、認証パスワードに従って認証を完了するために接続ノードにより使用される。
【０２７２】
DMによって送信された認証パスワードを受信した後に、接続ノードは認証パスワードに従って現在のドメインのSCとの認証を行う。認証が成功した後に、ノードは現在のドメインに接続し、データ伝送を実行することができる。
【０２７３】
任意選択的に、指定されたフィールドが追加された生成されたMAPフレームをブロードキャストするステップの後に、本方法は、
第1の予め設定された期間の後に、指定されたフィールドが追加されていないMAPフレームを生成し、指定されたフィールドが追加されていないMAPフレームをブロードキャストするステップ
をさらに含み、
第1の期間は、指定されたフィールドが追加されたMAPフレームがブロードキャストされる期間の値である。
【０２７４】
任意選択的に、ネットワーク接続を可能にするための時間ウィンドウを開くステップの後に、本方法は、
第2の予め設定された期間の後、または接続されたノードによって送信されたアクセス停止指示の受信時に、ネットワーク接続を許可するための時間ウィンドウを閉じるステップ
をさらに含み、
第2の期間は、ネットワーク接続を可能にするための時間ウィンドウの期間の値である。
【０２７５】
本発明のこの実施形態において提供されるネットワークにノードを接続するための方法によれば、アクセス指示を受信した後に、DMは、まず、現在のドメインのパスワードを格納していないすべての接続ノードを登録し、ユーザが選択するために登録された接続ノードのリストを接続されたノードに送信して、ユーザが承認された接続ノードを決定した後に、接続ノードに対して認証が行われる。このようにして、DMは、指定された接続ノードに関する情報を受信すると、指定された接続ノードが認証を完了し、したがってネットワークに正常に接続することを許可することができる。明らかに、DMは、複数の接続ノードが同時にネットワークに接続することを許可し、それによってノードのネットワーク接続効率を向上させ、ネットワーク接続成功率を高め、ユーザエクスペリエンスとセキュリティを向上させることができる。
【０２７６】
前述の実施形態に基づいて、図14を参照すると、本発明の一実施形態は、ノードをネットワークに接続するための方法をさらに提供する。本方法は、G.hnベースのホームネットワークに接続してあり、通常のノードとして使用されるインテリジェント端末装置に適用可能である。本方法の処理は、以下のステップを含む。
【０２７７】
ステップ1401：アクセス指示をDMに送信し、アクセス指示は、DMが位置するドメインの認証パスワードを格納していないノードがネットワークに接続することを許可するようにDMに指示するために使用される。
【０２７８】
任意選択的に、接続されたノードによってアクセス指示をDMに送信するステップは、接続されたノードを設定することによってユーザが新しいノードを現在のドメインに追加することを開始し、接続されたノードが現在のドメインのDMにアクセス指示を送信することであってもよい。
【０２７９】
好ましくは、接続されたノードは、画面を有し、G.hnモジュールが構築されたインテリジェント端末装置であってもよく、ユーザは、画面を用いて現在のドメインに新しいノードを追加することを開始することができ、そのようにして画面を有するインテリジェント端末装置がアクセス指示をDMに送信する。
【０２８０】
ステップ1402：DMによって送信され、登録要求を送信したすべての接続ノードの接続ノード情報に従って生成された第1の接続ノード情報セットを受信する。
【０２８１】
複数の接続ノードがすべて登録を完了した後に、接続ノード情報セットが接続されたノードに送信されるので、ユーザは接続されたノードを使用して複数の接続ノードに関する情報から1つまたは複数の接続ノードを選択することができ、それによってユーザエクスペリエンスおよびセキュリティを向上させる。
【０２８２】
ステップ1403：第1の接続ノード情報セットの接続ノード情報内の少なくとも1つの接続ノードに関する情報を選択し、少なくとも1つの接続ノードに関する選択された情報に従って第2の接続ノード情報セットを生成する。
【０２８３】
ステップ1404：第2の接続ノード情報セットをDMに送信する。
【０２８４】
任意選択的に、接続ノード情報セットをDMに送信するステップの後に、本方法は、
DMにアクセス停止指示を送信するステップ
をさらに含む。
【０２８５】
このようにして、ユーザは、現在のドメイン内の新しいノードのネットワーク接続を簡便に制御することができる。
【０２８６】
前述の実施形態に基づいて、図15を参照すると、本発明の一実施形態は、ノードをネットワークに接続するための方法をさらに提供する。本方法は、G.hnベースのホームネットワークに接続し、通常のノードとして使用されるインテリジェント端末装置に適用可能である。本方法の処理は、以下のステップを含む。
【０２８７】
ステップ1501：第1のノードが、DMによって送信され、認証パスワードを有しないノードの登録を許可するための指示を搬送するMAPフレームを受信する。
【０２８８】
ステップ1502：DMが位置するドメインの認証パスワードを第1のノードが格納していないと第1のノードが判断した場合には、DMに登録要求を送信する。
【０２８９】
現在のドメインの認証パスワードを格納していないノードは、現在のドメインに接続したことのないノード、または現在のドメインに接続しているが認証パスワードがクリアされているノードであり、そのノードは、非セキュリティモードで動作するドメインに接続しているノードであってもよいし、いずれのドメインにも接続していないアイドル状態のノードであってもよい。
【０２９０】
任意のノードがMAPフレームを受信し、そのノードが現在のドメインの認証パスワードをローカルに格納しているかどうかを判断する。ノードが現在のドメインの認証パスワードを保存していない場合には、そのノードは接続ノードであり、そのノードは登録要求をDMに送信する。ノードが現在のドメインの認証パスワードを格納している場合には、そのノードが接続ノードではないことを示しているが、そのノードは登録を直接完了することができ、DMに認証パスワードを送信するよう要求することなく、認証されてネットワークに接続することができる。
【０２９１】
ステップ1503：第1のノードは、登録要求に従ってDMによって返された認証パスワードを受信し、認証パスワードに従って認証を完了する。
【０２９２】
具体的には、登録要求を受信した後、DMは、認証パスワードを送信する前に登録確認メッセージをさらに送信して、登録が完了したことをノードに通知する。
【０２９３】
DMは、ノードに認証パスワードを送信し、ノードがユーザによって示され、かつネットワークに接続する必要のある接続ノードであることを示す。DMによって送信された認証パスワードを受信した後に、接続ノードは認証パスワードに従って現在のドメインのSCとの認証を行う。認証が成功した後に、ノードは現在のドメインに接続し、データ伝送を実行することができる。
【０２９４】
前述の実施形態に基づいて、図16を参照すると、本発明の一実施形態は、ノードをネットワークに接続するための方法をさらに提供する。本方法の具体的な処理は、以下のステップを含む。
【０２９５】
ステップ1601：接続されたノードEP0は、現在のドメインに新しいノードを追加することを決定した後に、現在のドメインのDMにアクセス指示を送信し、アクセス指示は、現在のドメインの認証パスワードを格納していないノードがネットワークに接続することを許可するように指示するために使用される。
【０２９６】
接続されたノードEP0は、まず、新しいノードを現在のドメインに追加することを決定する必要がある。具体的には、接続されたノードEP0は、画面を有し、G.hnモジュールが構築されたインテリジェント端末装置であり、ユーザは、画面（ユーザインターフェース）を用いてノード追加指示を選択または入力することができ、そのようにして画面を有するインテリジェント端末装置がアクセス指示をDMに送信する。
【０２９７】
接続されたノードEP0が属する現在のドメインは、セキュリティモードのドメインである。
【０２９８】
具体的には、アクセス指示のフォーマットを表4に示す。
【０２９９】
【表４】
0006512725.tif 000005
【０３００】
ステップ1602：現在のドメインのDMは、接続されたノードEP0により送信されたアクセス指示を受信した後に、ネットワーク接続を許可するための時間ウィンドウを開いて、現在のドメインの認証パスワードを格納していないノードを追加することを許可し、ネットワーク接続を許可するための時間ウィンドウ内の各MACサイクルで少なくとも1回、認証パスワードを有しないノードの登録を許可するための指示を搬送するMAPフレームをブロードキャストによって送信する。
【０３０１】
具体的には、既存のMAPフレームに基づいて、認証パスワードを有しないノードの登録を許可するための指示を搬送するMAPフレームのMAPフレームヘッダに指定されたフィールドを追加することができ、認証パスワードを有しないノードの登録を許可するための指示が指定されたフィールドに含まれており、現在のドメインの認証パスワードを格納していない接続ノードが登録要求を送信することを許可するように指示する。
【０３０２】
ステップ1603：接続ノードEPは、MAPフレームを受信した後に、接続ノードEPが現在のドメインの認証パスワードを格納しているか否かを判断し、接続ノードEPが認証パスワードを格納していないと判断した場合には、接続ノードEPが登録要求をDMに送信する。
【０３０３】
任意選択的に、接続ノードEPがDMによって送信されたMAPフレームを受信する前に、ユーザは接続ノードEPにおいてプッシュボタン操作を実行して、DMからMAPフレームを受信するように接続ノードEPをトリガし、ネットワーク接続の登録と認証を行う必要がある。
【０３０４】
既存の解決策によれば、現在のドメインの認証パスワードが格納されていると判断した場合には、ノードは登録を直接完了することができ、認証パスワードを送信するようにDMに要求することなしに、認証されネットワークに接続することができる。本発明のこの実施形態では、詳細について再度説明しない。
【０３０５】
任意選択的に、登録要求は、接続ノードEPが現在のドメインの認証パスワードを有しておらず、一時的に登録するだけで認証を行わないノードであることを示す。
【０３０６】
ステップ1604：DMは、接続ノードEPの登録要求を受信し、登録確認メッセージを送信する。接続ノードEPの登録が完了している。
【０３０７】
ステップ1601からステップ1604において、DMは、複数の接続ノードの登録を実施することができる。この実施形態では、一例として1つの接続ノードだけが使用されている。
【０３０８】
ステップ1605：DMは、登録されたすべての接続ノードに従って第1の接続ノード情報セットを生成し、接続されたノードEP0に第1の接続ノード情報セットを送信する。
【０３０９】
認証されたすべての接続ノードの接続ノード情報に従ってセットが生成され、接続されたノードEP0に送信された後に、ユーザが選択するために、接続されたノードEP0に複数の認証された接続ノードを表示することができる。
【０３１０】
具体的には、第1の接続ノード情報セットは、登録されたノードのリストのメッセージである。メッセージのフォーマットを表5に示す。
【０３１１】
【表５】
0006512725.tif 000006
【０３１２】
ステップ1606：接続されたノードEP0は、第1の接続ノード情報セットに従って第2の接続ノード情報セットを返し、第2の接続ノード情報セットは少なくとも1つの接続ノードに関する情報を含む。
【０３１３】
ステップ1606を実行する前に、接続されたノードEP0は、ユーザが選択するために、受信した第1の接続ノード情報を画面上に表示する。ユーザが接続ノード情報セットから少なくとも1つの承認された接続ノードに関する情報を選択した後に、接続されたノードEP0は、承認された接続ノードに関する情報に対応する接続ノードに認証パスワードを送信するようにDMに指示する。
【０３１４】
具体的には、第2の接続ノード情報セットは、承認されたノードのリストのメッセージである。メッセージのフォーマットは表5に示されており、ここでは再度説明しない。
【０３１５】
ステップ1607：DMは、第2の接続ノード情報セットを受信し、第2の接続ノード情報セット内の各接続ノードに関する情報に対応する接続ノードに、DMが位置するドメインの認証パスワードを送信する。
【０３１６】
任意選択的に、第2の接続ノード情報セットを受信した後に、DMは、対応する応答メッセージを接続されたノードEP0に送信する。
【０３１７】
DMによって送信された認証パスワードを受信した後に、接続ノードは認証パスワードに従って現在のドメインのSCとの認証を行う。認証が成功した後に、ノードは現在のドメインに接続し、データ伝送を実行することができる。
【０３１８】
ステップ1608：承認された接続ノードのネットワーク接続が停止されたことを確認した後に、接続されたノードEP0は、DMにアクセス停止指示を送信して、ネットワーク接続を許可する時間ウィンドウを閉じるようDMに指示する。
【０３１９】
接続されたノードEP0の画面を使用してユーザによって入力され、かつ、認証パスワードを格納していないノードがネットワークに接続することを許可するのを停止するように指示する指示に従って、接続ノードのネットワーク接続が停止されたことを、接続されたノードEP0によって確認することができる。
【０３２０】
DMがネットワーク接続を許可する時間ウィンドウを閉じた後に、DMは各MACサイクルで通常のMAPフレームをブロードキャストにより送信する。
【０３２１】
前述の実施形態に基づいて、図17を参照すると、本発明の一実施形態は、ノードをネットワークに接続するためのシステムをさらに提供する。システムは、接続されたノード1701と、DM1702と、接続ノード1703と、を含む。
【０３２２】
接続されたノード1701は、アクセス指示をDM1702に送信するように構成され、アクセス指示は少なくとも1つの接続ノードに関する情報を含む。
【０３２３】
DM1702は、接続されたノード1701によって送信されたアクセス指示を受信し、アクセス指示に従ってメディアアクセスプラン（MAP）フレームをブロードキャストし、MAPフレームは、少なくとも1つの接続ノードに関する情報を搬送し、少なくとも1つの接続ノードに関する情報に対応する接続ノード1703によって送信された登録要求を受信し、接続ノード1703に認証パスワードを送信するように構成される。
【０３２４】
接続ノード1703は、DM1702によって送信され、少なくとも1つの接続ノードに関する情報を搬送するMAPフレームを受信し、MAPフレーム内の少なくとも1つの接続ノードに関する情報が接続ノード1703のノード情報を含むと判断した場合には、DM1702に登録要求を送信し、登録要求に従ってDM1702によって返された認証パスワードを受信し、認証パスワードに従って認証を完了するように構成される。
【０３２５】
前述の実施形態に基づいて、図18を参照すると、本発明の一実施形態は、ノードをネットワークに接続するためのシステムをさらに提供する。システムは、接続されたノード1801と、DM1802と、接続ノード1803と、を含む。
【０３２６】
接続されたノード1801は、アクセス指示をDM1802に送信するように構成され、アクセス指示は少なくとも1つの接続ノードに関する情報を含む。
【０３２７】
DM1802は、接続されたノード1801によって送信されたアクセス指示を受信し、アクセス指示内の少なくとも1つの接続ノードに関する情報に従って対応する接続ノード識別情報を別々に生成し、接続ノード識別情報は、対応する各接続ノード1803を識別するために使用され、生成された接続ノード識別情報を搬送するメディアアクセスプラン（MAP）フレームをブロードキャストし、生成された接続ノード識別情報に対応する接続ノード1803によって送信された登録要求を受信し、アクセス指示内の少なくとも1つの接続ノードに関する情報に対応する接続ノードが接続ノード1803を含むと判断し、接続ノード1803に認証パスワードを送信するように構成される。
【０３２８】
接続ノード1803は、DM1802によって送信され、接続ノード識別情報を搬送するMAPフレームを受信し、接続ノードを識別するために使用される識別情報を決定し、MAPフレーム内の少なくとも1つの接続ノードの識別情報が接続ノードを識別するために使用される決定された識別情報を含む場合に、登録要求をDM1802に送信し、登録要求に従ってDM1802によって返された認証パスワードを受信し、認証パスワードに従って認証を完了するように構成される。
【０３２９】
前述の実施形態に基づいて、図19を参照すると、本発明の一実施形態は、ノードをネットワークに接続するためのシステムをさらに提供する。システムは、接続されたノード1901と、DM1902と、接続ノード1903と、を含む。
【０３３０】
接続されたノード1901は、DM1902にアクセス指示を送信し、アクセス指示は、DM1902が位置するドメインの認証パスワードを格納していない接続ノードがネットワークに接続することを許可するように指示するために使用され、DM1902によって送信され、登録要求を送信したすべての接続ノードの接続ノード情報に従って生成された第1の接続ノード情報セットを受信し、第1の接続ノード情報セットの接続ノード情報から少なくとも1つの接続ノードに関する情報を選択し、少なくとも1つの接続ノードに関する選択された情報に従って第2の接続ノード情報セットを生成し、第2の接続ノード情報セットをDM1902に送信するように構成される。
【０３３１】
DM1902は、接続されたノード1901によって送信されたアクセス指示を受信し、アクセス指示に従って、メディアアクセスプラン（MAP）フレームをブロードキャストし、MAPフレームは、認証パスワードを有しないノードの登録を許可するための指示を搬送し、DM1902が位置するドメインの認証パスワードを格納していない接続ノードによって送信された登録要求を受信し、登録要求を送信したすべての接続ノードの接続ノード情報に従って第1の接続ノード情報セットを生成し、第1の接続ノード情報セットを接続されたノード1901に送信し、第1の接続ノード情報セットに従って接続されたノード1901によって返された第2の接続ノード情報セットを受信し、第2の接続ノード情報セット内の接続ノード情報に対応する接続ノード1903に認証パスワードを送信するように構成される。
【０３３２】
接続ノード1903は、DM1902によって送信され、認証パスワードを有しないノードの登録を許可するための指示を搬送するMAPフレームを受信し、接続ノード1903がDM1902が位置するドメインの認証パスワードを格納していない場合に、DM1902に登録要求を送信し、登録要求に従ってDM1902によって返された認証パスワードを受信し、認証パスワードに従って認証を完了するように構成される。
【０３３３】
上述した実施形態に基づいて、本発明は、インテリジェント端末装置2000をさらに提供する。インテリジェント端末装置はDMである。図20を参照すると、インテリジェント端末装置2000は、トランシーバ2001と、プロセッサ2002と、バス2003と、メモリ2004と、を含む。
【０３３４】
トランシーバ2001と、プロセッサ2002と、メモリ2004とは、バス2003によって相互に接続されている。バス2003は、周辺機器相互接続（PCI）バス、拡張業界標準アーキテクチャ（EISA）バスなどであってもよい。バスは、アドレスバス、データバス、制御バスなどに分類することができる。表現を容易にするために、図20ではバス2003を一本だけの太い線を用いて示しているが、1つだけのバスまたは1つのタイプだけのバスを示すものではない。
【０３３５】
トランシーバ2001は、接続されたノードおよび接続ノードと通信するように構成され、例えば、接続されたノードによって送信されたアクセス指示を受信し、MAPフレームをブロードキャストし、接続ノードによって送信された登録要求を受信し、接続ノードに認証パスワードを送信する。
【０３３６】
プロセッサ2002は、本発明の実施形態において図8に示すネットワークにノードを接続するための方法を実現するように構成され、その方法は、
接続されたノードによって送信されたアクセス指示を受信するステップであって、アクセス指示は、少なくとも1つの接続ノードに関する情報を含む、ステップと、
アクセス指示に従ってメディアアクセスプラン（MAP）フレームをブロードキャストするステップであって、MAPフレームは、少なくとも1つの接続ノードに関する情報を搬送する、ステップと、
少なくとも1つの接続ノードに関する情報に対応する接続ノードのうちの第1の接続ノードによって送信された登録要求を受信するステップであって、第1の接続ノードが、MAPフレーム内の少なくとも1つの接続ノードに関する情報が第1の接続ノードのノード情報を含むと判断した場合には、登録要求が第1の接続ノードによって送信される、ステップと、
登録要求に従って第1の接続ノードに認証パスワードを送信するステップであって、認証パスワードは、認証パスワードに従って認証を完了するために第1の接続ノードによって使用される、ステップと、
を含む。
【０３３７】
任意選択的に、接続ノード情報は、接続ノードのメディアアクセス制御（MAC）アドレスおよび／または接続ノードのノード識別子を含む。
【０３３８】
任意選択的に、アクセス指示に従って、少なくとも1つの接続ノードに関する情報を搬送するMAPフレームをブロードキャストするステップは、
アクセス指示に搬送される少なくとも1つの接続ノードに関する情報を取得するステップと、
ノード補助フィールドを含むMAPフレームを生成するステップであって、ノード補助フィールドは、少なくとも1つの接続ノードに関する情報を搬送する、ステップと、
生成されたMAPフレームをブロードキャストするステップと、
を含む。
【０３３９】
任意選択的に、少なくとも1つの接続ノードに関する情報を搬送するMAPフレームをブロードキャストするステップは、
ネットワーク接続を許可するための時間ウィンドウを開くステップと、
少なくとも1つの接続ノードに関する情報を搬送するMAPフレームを、ネットワーク接続を許可するための時間ウィンドウ内の少なくとも1つのMACサイクルで少なくとも1回ブロードキャストするステップと、
を含む。
【０３４０】
任意選択的に、第1の接続ノードに認証パスワードを送信するステップは、
第1の接続ノードに登録確認メッセージを送信するステップを含み、確認メッセージは認証パスワードを搬送する。
【０３４１】
任意選択的に、生成されたMAPフレームをブロードキャストするステップの後に、本方法は、
第1の予め設定された期間の後、またはMAPフレームのノード補助フィールドに搬送された接続ノード情報に対応する各接続ノードの認証の完了時に、ノード補助フィールドを含まないMAPフレームを生成し、ノード補助フィールドを含まないMAPフレームをブロードキャストするステップ
をさらに含み、
第1の期間は、ノード補助フィールドを含むMAPフレームがブロードキャストされる期間の値である。
【０３４２】
任意選択的に、ネットワーク接続を可能にするための時間ウィンドウを開くステップの後に、本方法は、
第2の予め設定された期間の後、または接続されたノードによって送信されたアクセス停止指示の受信時に、ネットワーク接続を許可するための時間ウィンドウを閉じるステップ
をさらに含み、
第2の期間は、ネットワーク接続を可能にするための時間ウィンドウの期間の値である。
【０３４３】
インテリジェント端末装置2000は、プログラムなどを格納するように構成されたメモリ2004をさらに含む。具体的には、プログラムはプログラムコードを含み、プログラムコードはコンピュータ動作命令を含む。メモリ2004は、ランダムアクセスメモリ（RAM）を含むことができ、または少なくとも1つのディスクメモリなどの不揮発性メモリをさらに含むことができる。プロセッサ2002は、メモリ2004に格納されたアプリケーションプログラムを実行して、ノードをネットワークに接続するための前述の方法を実施する。
【０３４４】
上述の実施形態に基づいて、本発明は、インテリジェント端末装置2100をさらに提供する。インテリジェント端末装置は、接続ノードである。図21を参照すると、インテリジェント端末装置2100は、トランシーバ2101と、プロセッサ2102と、バス2103と、メモリ2104と、を含む。
【０３４５】
トランシーバ2101、プロセッサ2102、およびメモリ2104は、バス2103を用いて相互に接続されている。バス2103は、周辺機器相互接続（PCI）バス、拡張業界標準アーキテクチャ（EISA）バスなどであってもよい。バスは、アドレスバス、データバス、制御バスなどに分類することができる。表現を容易にするために、図21ではバス2103を一本だけの太い線を用いて示しているが、1つだけのバスまたは1つのタイプだけのバスを示すものではない。
【０３４６】
トランシーバ2101は、DMと通信するように構成され、例えば、DMによって送信されたMAPフレームを受信し、DMに登録要求を送信し、DMによって返された認証パスワードを受信する。
【０３４７】
プロセッサ2102は、本発明の実施形態における図9に示すネットワークにノードを接続する方法を実施するように構成され、本方法は、
DMによって送信され、少なくとも1つの接続ノードに関する情報を搬送するメディアアクセスプラン（MAP）フレームを受信するステップと、
MAPフレーム内の少なくとも1つの接続ノードに関する情報がインテリジェント端末装置2100のノード情報を含むと判断した場合にDMに登録要求を送信するステップと、
登録要求に従ってDMによって返された認証パスワードを受信するステップと、
認証パスワードに従って認証を完了するステップと、
を含む。
【０３４８】
任意選択的に、DMによって送信され、少なくとも1つの接続ノードに関する情報を搬送するMAPフレームを受信するステップは、
MAPリレーノードによって転送されたMAPフレームを受信するステップを含み、MAPフレームは、DMによって送信され、少なくとも1つの接続ノードに関する情報を搬送する。
【０３４９】
任意選択的に、接続ノード情報は、接続ノードのメディアアクセス制御（MAC）アドレスおよび／または接続ノードのノード識別子を含む。
【０３５０】
任意選択的に、DMによって返された認証パスワードを受信するステップは、
DMによって返され、認証パスワードを搬送する登録確認メッセージを受信するステップ
を含む。
【０３５１】
インテリジェント端末装置2100は、プログラムなどを格納するように構成されたメモリ2104をさらに含む。具体的には、プログラムはプログラムコードを含み、プログラムコードはコンピュータ動作命令を含む。メモリ2104は、ランダムアクセスメモリ（RAM）を含むことができ、または少なくとも1つのディスクメモリなどの不揮発性メモリをさらに含むことができる。プロセッサ2102は、メモリ2104に格納されたアプリケーションプログラムを実行して、ノードをネットワークに接続するための前述の方法を実施する。
【０３５２】
上述の実施形態に基づいて、本発明は、インテリジェント端末装置2200をさらに提供する。インテリジェント端末装置はDMである。図22を参照すると、インテリジェント端末装置2200は、トランシーバ2201と、プロセッサ2202と、バス2203と、メモリ2204と、を含む。
【０３５３】
トランシーバ2201、プロセッサ2202、およびメモリ2204は、バス2203を用いて相互に接続されている。バス2203は、周辺機器相互接続（PCI）バス、拡張業界標準アーキテクチャ（EISA）バスなどであってもよい。バスは、アドレスバス、データバス、制御バスなどに分類することができる。表現を容易にするために、図22ではバス2203を一本だけの太い線を用いて示しているが、1つだけのバスまたは1つのタイプだけのバスを示すものではない。
【０３５４】
トランシーバ2201は、接続されたノードおよび接続ノードと通信するように構成され、例えば、接続されたノードによって送信されたアクセス指示を受信し、MAPフレームをブロードキャストし、接続ノードによって送信された登録要求を受信し、接続ノードに認証パスワードを送信する。
【０３５５】
プロセッサ2202は、本発明の実施形態における図10に示すネットワークにノードを接続する方法を実施するように構成され、本方法は、
接続されたノードによって送信されたアクセス指示を受信するステップであって、アクセス指示は、少なくとも1つの接続ノードに関する情報を含む、ステップと、
アクセス指示内の少なくとも1つの接続ノードに関する情報に従って、対応する接続ノード識別情報を別々に生成するステップであって、接続ノード識別情報は、対応する各接続ノードを識別するために使用される、ステップと、
生成された接続ノード識別情報を搬送するMAPフレームをブロードキャストするステップと、
生成された接続ノード識別情報に対応する接続ノードのうちの第1の接続ノードによって送信された登録要求を受信するステップであって、第1の接続ノードが、MAPフレーム内の接続ノード識別情報が第1の接続ノードの識別情報を含むと判断した場合には、登録要求が第1の接続ノードによって送信される、ステップと、
アクセス指示内の少なくとも1つの接続ノードに関する情報に対応する接続ノードが第1の接続ノードを含むと判断し、第1の接続ノードに認証パスワードを送信するステップであって、認証パスワードは、認証パスワードに従って認証を完了するために第1の接続ノードによって使用される、ステップと、
を含む。
【０３５６】
任意選択的に、接続ノード情報は、接続ノードのメディアアクセス制御（MAC）アドレスおよび／または接続ノードのノード識別子を含む。
【０３５７】
任意選択的に、アクセス指示内の少なくとも1つの接続ノードに関する情報に従って、対応する接続ノード識別情報を別々に生成するステップは、
接続ノード情報が接続ノードのMACアドレスを含む場合には、各接続ノードのMACアドレスの各ビット位置に対応する値を別々に決定し、指定された規則に従って各接続ノードのMACアドレスの全ビット位置のうちの第1のビット位置の数を選択し、各接続ノードのMACアドレスの選択された第1のビット位置の数に対応する値に従って対応する接続ノード識別情報を生成するステップか、あるいは、
接続ノード情報が接続ノードのノード識別子を含む場合には、各接続ノード識別子に対応する接続ノードのMACアドレスを別々に決定し、各接続ノードのMACアドレスの各ビット位置に対応する値を別々に決定し、指定された規則に従って各接続ノードのMACアドレスの全ビット位置のうちの第1のビット位置の数を選択し、各接続ノードのMACアドレスの選択された第1のビット位置の数に対応する値に従って対応する接続ノード識別情報を生成するステップ
を含む。
【０３５８】
任意選択的に、生成された接続ノード識別情報を搬送するMAPフレームをブロードキャストするステップは、
ノード補助フィールドを含むMAPフレームを生成するステップであって、ノード補助フィールドは、生成された接続ノード識別情報を搬送する、ステップと、
生成されたMAPフレームをブロードキャストするステップと、
を含む。
【０３５９】
任意選択的に、生成された接続ノード識別情報を搬送するMAPフレームをブロードキャストするステップは、
ネットワーク接続を許可するための時間ウィンドウを開くステップと、
生成された接続ノード識別情報を搬送するMAPフレームを、ネットワーク接続を許可するための時間ウィンドウ内の少なくとも1つのMACサイクルで少なくとも1回ブロードキャストするステップと、
を含む。
【０３６０】
任意選択的に、第1の接続ノードに認証パスワードを送信するステップは、
第1の接続ノードに登録確認メッセージを送信するステップを含み、確認メッセージは認証パスワードを搬送する。
【０３６１】
任意選択的に、生成されたMAPフレームをブロードキャストするステップの後に、本方法は、
第1の予め設定された期間の後、またはアクセス指示内の接続ノード情報に対応する各接続ノードの認証の完了時に、ノード補助フィールドを含まないMAPフレームを生成し、ノード補助フィールドを含まないMAPフレームをブロードキャストするステップ
をさらに含み、
第1の期間は、ノード補助フィールドを含むMAPフレームがブロードキャストされる期間の値である。
【０３６２】
任意選択的に、ネットワーク接続を可能にするための時間ウィンドウを開くステップの後に、本方法は、
第2の予め設定された期間の後、または接続されたノードによって送信されたアクセス停止指示の受信時に、ネットワーク接続を許可するための時間ウィンドウを閉じるステップ
をさらに含み、
第2の期間は、ネットワーク接続を可能にするための時間ウィンドウの期間の値である。
【０３６３】
インテリジェント端末装置2200は、プログラムなどを格納するように構成されたメモリ2204をさらに含む。具体的には、プログラムはプログラムコードを含み、プログラムコードはコンピュータ動作命令を含む。メモリ2204は、ランダムアクセスメモリ（RAM）を含むことができ、または少なくとも1つのディスクメモリなどの不揮発性メモリをさらに含むことができる。プロセッサ2202は、メモリ2204に格納されたアプリケーションプログラムを実行して、ノードをネットワークに接続するための前述の方法を実施する。
【０３６４】
上述の実施形態に基づいて、本発明は、インテリジェント端末装置2300をさらに提供する。インテリジェント端末装置は、接続ノードである。図23を参照すると、インテリジェント端末装置2300は、トランシーバ2301と、プロセッサ2302と、バス2303と、メモリ2304と、を含む。
【０３６５】
トランシーバ2301、プロセッサ2302、およびメモリ2304は、バス2303を用いて相互に接続されている。バス2303は、周辺機器相互接続（PCI）バス、拡張業界標準アーキテクチャ（EISA）バスなどであってもよい。バスは、アドレスバス、データバス、制御バスなどに分類することができる。表現を容易にするために、図23ではバス2303を一本だけの太い線を用いて示しているが、1つだけのバスまたは1つのタイプだけのバスを示すものではない。
【０３６６】
トランシーバ2301は、DMと通信するように構成され、例えば、DMによって送信されたMAPフレームを受信し、DMに登録要求を送信し、DMによって返された認証パスワードを受信する。
【０３６７】
プロセッサ2302は、本発明の実施形態における図11に示すネットワークにノードを接続する方法を実施するように構成され、本方法は、
DMによって送信され、少なくとも1つの接続ノードの識別情報を搬送するMAPフレームを受信するステップと、
インテリジェント端末装置2300を識別するために使用される識別情報を決定するステップと、
MAPフレーム内の少なくとも1つの接続ノードの識別情報がインテリジェント端末装置2300を識別するために使用される決定された識別情報を含むと判断した場合にDMに登録要求を送信するステップと、
登録要求に従ってDMによって返された認証パスワードを受信するステップと、
認証パスワードに従って認証を完了するステップと、
を含む。
【０３６８】
任意選択的に、DMによって送信され、少なくとも1つの接続ノードの識別情報を搬送するメディアアクセスプラン（MAP）フレームを受信するステップは、
MAPリレーノードによって転送されたMAPフレームを受信するステップ
を含み、MAPフレームはDMによって送信され、少なくとも1つの接続ノードの識別情報を搬送する。
【０３６９】
任意選択的に、インテリジェント端末装置2300を識別するために使用される識別情報を決定するステップは、
インテリジェント端末装置2300のMACアドレス内の各ビット位置に対応する値を決定するステップと、
指定された規則に従ってすべてのビット位置のうちの第1のビット位置の数を選択するステップと、
選択された第1のビット位置の数に対応する値に従って、インテリジェント端末装置2300を識別するために使用される識別情報を生成するステップと、
を含む。
【０３７０】
任意選択的に、DMによって返された認証パスワードを受信するステップは、
DMによって返され、認証パスワードを搬送する登録確認メッセージを受信するステップ
を含む。
【０３７１】
インテリジェント端末装置2300は、プログラムなどを格納するように構成されたメモリ2304をさらに含む。具体的には、プログラムはプログラムコードを含み、プログラムコードはコンピュータ動作命令を含む。メモリ2304は、ランダムアクセスメモリ（RAM）を含むことができ、または少なくとも1つのディスクメモリなどの不揮発性メモリをさらに含むことができる。プロセッサ2302は、メモリ2304に格納されたアプリケーションプログラムを実行して、ノードをネットワークに接続するための前述の方法を実施する。
【０３７２】
上述の実施形態に基づいて、本発明は、インテリジェント端末装置2400をさらに提供する。インテリジェント端末装置はDMである。図24を参照すると、インテリジェント端末装置2400は、トランシーバ2401と、プロセッサ2402と、バス2403と、メモリ2404と、を含む。
【０３７３】
トランシーバ2401、プロセッサ2402、およびメモリ2404は、バス2403を用いて相互に接続されている。バス2403は、周辺機器相互接続（PCI）バス、拡張業界標準アーキテクチャ（EISA）バスなどであってもよい。バスは、アドレスバス、データバス、制御バスなどに分類することができる。表現を容易にするために、図24ではバス2403を一本だけの太い線を用いて示しているが、1つだけのバスまたは1つのタイプだけのバスを示すものではない。
【０３７４】
トランシーバ2401は、接続されたノードおよび接続ノードと通信するように構成され、例えば、接続されたノードによって送信されたアクセス指示を受信し、MAPフレームをブロードキャストし、接続ノードによって送信された登録要求を受信し、接続されたノードに第1の接続ノード情報セットを送信し、接続されたノードによって送信された第2の接続ノード情報セットを受信し、接続ノードに認証パスワードを送信する。
【０３７５】
プロセッサ2402は、本発明の実施形態における図13に示すネットワークにノードを接続するための方法を実施するように構成され、本方法は、
接続されたノードによって送信されたアクセス指示を受信するステップであって、アクセス指示は、インテリジェント端末装置2400が位置するドメインの認証パスワードを格納していない接続ノードがネットワークに接続することを許可するように指示するために使用される、ステップと、
アクセス指示に従って、メディアアクセスプラン（MAP）フレームをブロードキャストするステップであって、MAPフレームは、認証パスワードを有しないノードの登録を許可するための指示を搬送する、ステップと、
インテリジェント端末装置2400が位置するドメインの認証パスワードを格納していない接続ノードによって送信された登録要求を受信するステップと、
登録要求を送信したすべての接続ノードの接続ノード情報に従って第1の接続ノード情報セットを生成し、第1の接続ノード情報セットを接続されたノードに送信するステップと、
第1の接続ノード情報セットに従って、接続されたノードによって返された第2の接続ノード情報セットを受信するステップであって、第2の接続ノード情報セットは、第1の接続ノード情報セットのサブセットである、ステップと、
第2の接続ノード情報セット内の接続ノード情報に対応する接続ノードに認証パスワードを送信するステップであって、認証パスワードは、認証パスワードに従って認証を完了するために接続ノードにより使用される、ステップと、
を含む。
【０３７６】
任意選択的に、接続ノード情報は、接続ノードのメディアアクセス制御（MAC）アドレスおよび／または接続ノードのノード識別子を含む。
【０３７７】
任意選択的に、認証パスワードを有しないノードの登録を許可するための指示を搬送するMAPフレームを、アクセス指示に従ってブロードキャストするステップは、
指定されたフィールドが追加されたMAPフレームをアクセス指示に従って生成するステップであって、指定されたフィールドは、認証パスワードを有しないノードの登録を許可するための指示を含み、認証パスワードを有しないノードの登録を許可するための指示は、DMが位置するドメインの認証パスワードを格納していない接続ノードが登録要求を送信するよう指示するために使用される、ステップと、
生成されたMAPフレームをブロードキャストするステップと、
を含む。
【０３７８】
任意選択的に、アクセス指示に従って、認証パスワードを有しないノードの登録を許可するための指示を搬送するMAPフレームをブロードキャストにより送信するステップは、
ネットワーク接続を許可するための時間ウィンドウを開くステップと、
認証パスワードを有しないノードの登録を許可するための指示を搬送するMAPフレームを、ネットワーク接続を許可するための時間ウィンドウ内の少なくとも1つのMACサイクルで少なくとも1回ブロードキャストするステップと、
を含む。
【０３７９】
任意選択的に、生成されたMAPフレームをブロードキャストするステップの後に、本方法は、
第1の予め設定された期間の後に、指定されたフィールドが追加されていないMAPフレームを生成し、指定されたフィールドが追加されていないMAPフレームをブロードキャストするステップ
をさらに含み、
第1の期間は、指定されたフィールドが追加されたMAPフレームがブロードキャストされる期間の値である。
【０３８０】
任意選択的に、ネットワーク接続を可能にするための時間ウィンドウを開くステップの後に、本方法は、
第2の予め設定された期間の後、または接続されたノードによって送信されたアクセス停止指示の受信時に、ネットワーク接続を許可するための時間ウィンドウを閉じるステップ
をさらに含み、
第2の期間は、ネットワーク接続を可能にするための時間ウィンドウの期間の値である。
【０３８１】
インテリジェント端末装置2400は、プログラムなどを格納するように構成されたメモリ2404をさらに含む。具体的には、プログラムはプログラムコードを含み、プログラムコードはコンピュータ動作命令を含む。メモリ2404は、ランダムアクセスメモリ（RAM）を含むことができ、または少なくとも1つのディスクメモリなどの不揮発性メモリをさらに含むことができる。プロセッサ2402は、メモリ2404に格納されたアプリケーションプログラムを実行して、ノードをネットワークに接続するための前述の方法を実施する。
【０３８２】
上述の実施形態に基づいて、本発明は、インテリジェント端末装置2500をさらに提供する。インテリジェント端末装置は、接続されたノードである。図25を参照すると、インテリジェント端末装置2500は、トランシーバ2501と、プロセッサ2502と、バス2503と、メモリ2504と、を含む。
【０３８３】
トランシーバ2501、プロセッサ2502、およびメモリ2504は、バス2503を用いて相互に接続されている。バス2503は、周辺機器相互接続（PCI）バス、拡張業界標準アーキテクチャ（EISA）バスなどであってもよい。バスは、アドレスバス、データバス、制御バスなどに分類することができる。表現を容易にするために、図25ではバス2503を一本だけの太い線を用いて示しているが、1つだけのバスまたは1つのタイプだけのバスを示すものではない。
【０３８４】
トランシーバ2501は、DMと通信するように構成され、例えば、DMにアクセス指示を送信し、DMによって送信された第1の接続ノード情報セットを受信し、DMに送信された第2の接続ノード情報セットを送信する。
【０３８５】
プロセッサ2502は、本発明の実施形態における図14に示すネットワークにノードを接続するための方法を実施するように構成され、本方法は、
DMにアクセス指示を送信するステップであって、アクセス指示は、DMが位置するドメインの認証パスワードを格納していないノードがネットワークに接続することを許可するようにDMに指示するために使用される、ステップと、
DMによって送信され、登録要求を送信したすべての接続ノードの接続ノード情報に従って生成された第1の接続ノード情報セットを受信するステップと、
第1の接続ノード情報セットの接続ノード情報から少なくとも1つの接続ノードに関する情報を選択し、少なくとも1つの接続ノードに関する選択された情報に従って第2の接続ノード情報セットを生成するステップと、
第2の接続ノード情報セットをDMに送信するステップと、
を含む。
【０３８６】
任意選択的に、第2の接続ノード情報セットをDMに送信するステップの後に、本方法は、
DMにアクセス停止指示を送信するステップ
をさらに含む。
【０３８７】
インテリジェント端末装置2500は、プログラムなどを格納するように構成されたメモリ2504をさらに含む。具体的には、プログラムはプログラムコードを含み、プログラムコードはコンピュータ動作命令を含む。メモリ2504は、ランダムアクセスメモリ（RAM）を含むことができ、または少なくとも1つのディスクメモリなどの不揮発性メモリをさらに含むことができる。プロセッサ2502は、メモリ2504に格納されたアプリケーションプログラムを実行して、ノードをネットワークに接続するための前述の方法を実施する。
【０３８８】
上述の実施形態に基づいて、本発明は、インテリジェント端末装置2600をさらに提供する。インテリジェント端末装置は、接続ノードである。図26を参照すると、インテリジェント端末装置2600は、トランシーバ2601と、プロセッサ2602と、バス2603と、メモリ2604と、を含む。
【０３８９】
トランシーバ2601と、プロセッサ2602と、メモリ2604とは、バス2603を用いて相互に接続されている。バス2603は、周辺機器相互接続（PCI）バス、拡張業界標準アーキテクチャ（EISA）バスなどであってもよい。バスは、アドレスバス、データバス、制御バスなどに分類することができる。表現を容易にするために、図26ではバス2603を一本だけの太い線を用いて示しているが、1つだけのバスまたは1つのタイプだけのバスを示すものではない。
【０３９０】
トランシーバ2601は、DMと通信するように構成され、例えば、DMによって送信されたMAPフレームを受信し、DMに登録要求を送信し、DMによって返された認証パスワードを受信する。
【０３９１】
プロセッサ2602は、本発明の実施形態における図15に示すネットワークにノードを接続するための方法を実施するように構成され、本方法は、
DMによって送信され、認証パスワードを有しないノードの登録を許可するための指示を搬送するメディアアクセスプラン（MAP）フレームを受信するステップと、
DMが位置するドメインの認証パスワードをインテリジェント端末装置2600が格納していないと判断した場合には、登録要求をDMに送信するステップと、
登録要求に従ってDMによって返された認証パスワードを受信するステップと、
認証パスワードに従って認証を完了するステップと、
を含む。
【０３９２】
任意選択的に、DMによって送信され、認証パスワードを有しないノードの登録を許可するための指示を搬送するMAPフレームを受信するステップは、
MAPリレーノードによって転送されたMAPフレームを受信するステップ
を含み、MAPフレームは、DMによって送信され、認証パスワードを有しないノードの登録を許可するための指示を搬送する。
【０３９３】
インテリジェント端末装置2600は、プログラムなどを格納するように構成されたメモリ2604をさらに含む。具体的には、プログラムはプログラムコードを含み、プログラムコードはコンピュータ動作命令を含む。メモリ2604は、ランダムアクセスメモリ（RAM）を含むことができ、または少なくとも1つのディスクメモリなどの不揮発性メモリをさらに含むことができる。プロセッサ2602は、メモリ2604に格納されたアプリケーションプログラムを実行して、ノードをネットワークに接続するための前述の方法を実施する。
【０３９４】
結論として、本発明の実施形態で提供されるネットワークにノードを接続する方法、装置、およびシステムによれば、接続されたノードによって送信され、少なくとも1つの接続ノードに関する情報を搬送するアクセス指示を受信した後に、DMが少なくとも1つの接続ノードに関する情報を搬送するMAPフレームをアクセス指示に従ってブロードキャストによって送信することで、MAPフレームを受信した後に接続ノード情報に対応する接続ノードが直接登録を完了し、そしてDMが認証パスワードを接続ノードに送信することによって、接続ノードは認証パスワードに従って認証を完了し、したがってネットワークに正常に接続する。このようにして、DMは、指定された接続ノードに関する情報を受信すると、指定された接続ノードが登録および認証を完了し、したがってネットワークに正常に接続することを許可することができる。明らかに、DMは、複数の接続ノードが同時にネットワークに接続することを許可し、それによってノードのネットワーク接続効率を向上させ、ネットワーク接続成功率を高め、ユーザエクスペリエンスとセキュリティを向上させることができる。
【０３９５】
当業者は、本発明の実施形態が、方法、システム、またはコンピュータプログラム製品として提供され得ることを理解されたい。したがって、本発明は、ハードウェアのみの実施形態、ソフトウェアのみの実施形態、またはソフトウェアとハードウェアとの組み合わせを有する実施形態の形態を使用することができる。さらに、本発明は、コンピュータで使用可能なプログラムコードを含む1つまたは複数のコンピュータで使用可能な記憶媒体（ディスクメモリ、CD−ROM、光メモリなどを含むがこれらに限定されない）上に実装されるコンピュータプログラム製品の形態を使用してもよい。
【０３９６】
本発明は、本発明の実施形態による方法、装置（システム）、およびコンピュータプログラム製品のフローチャートおよび／またはブロック図を参照して説明されている。コンピュータプログラム命令を使用して、フローチャートおよび／またはブロック図における各プロセスおよび／または各ブロック、ならびにフローチャートおよび／またはブロック図におけるプロセスおよび／またはブロックの組み合わせを実施することができることを理解されたい。これらのコンピュータプログラム命令は、機械を生成するために、汎用コンピュータ、専用コンピュータ、組み込みプロセッサ、または任意の他のプログラム可能なデータ処理装置のプロセッサに提供することができ、その結果、コンピュータまたは任意の他のプログラム可能なデータ処理装置のプロセッサは、フローチャート内の1つもしくは複数のプロセスおよび／またはブロック図の1つもしくは複数のブロックの特定の機能を実現するための装置を生成する。
【０３９７】
これらのコンピュータプログラム命令は、コンピュータまたは他のプログラム可能なデータ処理装置が特定の仕方で動作するように命令することができるコンピュータ可読メモリに格納され、コンピュータ可読メモリに格納された命令が命令装置を含むアーティファクトを生成する。命令装置は、フローチャートの1つもしくは複数のプロセスおよび／またはブロック図の1つもしくは複数のブロックの特定の機能を実現する。
【０３９８】
これらのコンピュータプログラム命令は、コンピュータまたは別のプログラム可能なデータ処理装置にロードすることができ、コンピュータまたは別のプログラム可能な装置上で一連の動作およびステップが実行され、それによってコンピュータにより実行される処理が生成される。したがって、コンピュータまたは別のプログラム可能な装置上で実行される命令は、フローチャートの1つもしくは複数のプロセスおよび／またはブロック図の1つもしくは複数のブロックの特定の機能を実現するステップを提供する。
【０３９９】
本発明のいくつかの好ましい実施形態について説明したが、当業者は基本的な発明概念を学ぶとこれらの実施形態を変更および修正を行うことができる。したがって、添付の特許請求の範囲は、好ましい実施形態ならびに本発明の範囲内にあるすべての変更および修正を包含すると解釈することが意図されている。
【０４００】
明らかに、当業者は、本発明の実施形態の趣旨および範囲から逸脱することなく、本発明の実施形態に対して様々な修正および変形を行うことができる。本発明は、添付の特許請求の範囲およびそれらと等価な技術によって規定される保護の範囲内に入るという条件で、これらの修正および変形を包含することが意図されている。
【符号の説明】
【０４０１】
100,200,300,400,500,600,700  装置
101,201,301,401,501,602,701  受信部
102,202,303,403,502,601,702  送信部
203,404,703  認証部
302,603,402  決定部
1701,1801,1901  接続されたノード
1702,1703,1803,1903  接続ノード
2000,2100,2200,2300,2400,2500,2600  インテリジェント端末装置
2001,2101,2201,2301,2401,2501,2601  トランシーバ
2002,2102,2202,2302,2402,2502,2602  プロセッサ
2003,2103,2203,2303,2403,2503,2603  バス
2004,2104,2204,2304,2404,2504,2604  メモリ
【図１】
0006512725.tif 000007
【図２】
0006512725.tif 000008
【図３】
0006512725.tif 000009
【図４】
0006512725.tif 000010
【図５】
0006512725.tif 000011
【図６】
0006512725.tif 000012
【図７】
0006512725.tif 000013
【図８】
0006512725.tif 000014
【図９】
0006512725.tif 000015
【図１０】
0006512725.tif 000016
【図１１】
0006512725.tif 000017
【図１２】
0006512725.tif 000018
【図１３】
0006512725.tif 000019
【図１４】
0006512725.tif 000020
【図１５】
0006512725.tif 000021
【図１６】
0006512725.tif 000022
【図１７】
0006512725.tif 000023
【図１８】
0006512725.tif 000024
【図１９】
0006512725.tif 000025
【図２０】
0006512725.tif 000026
【図２１】
0006512725.tif 000027
【図２２】
0006512725.tif 000028
【図２３】
0006512725.tif 000029
【図２４】
0006512725.tif 000030
【図２５】
0006512725.tif 000031
【図２６】
0006512725.tif 000032